(57)【要約】  着用者によって下胴部の周囲に着用される着用可能吸収性物品であって、シャーシ長手方向長さを有しかつシャーシ前側領域と、シャーシ後側領域と、シャーシ長手方向長さを均等に分割する前側領域と後側領域との間のシャーシ横方向軸とを含み、シャーシはまた、その上に配置される第１のインサート締結要素を含む、シャーシと；インサート長手方向長さを有しかつインサート前方領域と、インサート後方領域と、インサート長手方向長さを均等に分割する前方領域と後方領域との間のインサート横方向軸とを含む使い捨て吸収性インサートとを含み；この物品は：インサートが、一対の伸縮性起立カフと、その上に配置される第１のインサートの印とを更に含み；シャーシがシャーシ横方向軸に対して非対称であり、及びインサートがインサート横方向軸に対して非対称であり；シャーシ及びインサートが、インサート前方領域がシャーシ前側領域に近接して配置され、インサート後方領域がシャーシ後側領域に近接して配置され、シャーシ前側領域及びインサート前方領域が着用者の下胴部の胴体前側領域に近接して配置され、シャーシ後側領域及びインサート後方領域が着用者の下胴部の胴体後側領域に近接して配置された状態で、着用者に最適に機能又は密着するように構成され；及び第１のインサートの印が、シャーシ又は着用者に対するインサートの正しい前後の向きに関する情報をユーザーに提供するように適合される、ことを特徴とする。
2012515056.tif 000002
【特許請求の範囲】
【請求項１】
シャーシ長手方向長さを有し、かつシャーシ前側領域と、シャーシ後側領域と、該シャーシ長手方向長さを均等に分割する該前側領域と該後側領域との間のシャーシ横方向軸と、その上に配置された第１のインサート締結要素とを含むシャーシと、
インサート長手方向長さを有し、かつインサート前方領域と、インサート後方領域と、該インサート長手方向長さを均等に分割する該前方領域と該後方領域との間のインサート横方向軸とを含む使い捨て吸収性インサートと、を含む、着用者によって下胴部の周囲に着用される着用可能吸収性物品であって、
前記物品は、
前記インサートが、一対の伸縮性起立カフと、その上に配置された第１のインサートの印とを更に含み、
前記シャーシが前記シャーシ横方向軸に対して非対称であり、前記インサートが前記インサート横方向軸に対して非対称であり、
前記シャーシ及び前記インサートが、前記インサート前方領域が前記シャーシ前側領域に近接して配置され、前記インサート後方領域が前記シャーシ後側領域に近接して配置され、前記シャーシ前側領域及び前記インサート前方領域が前記着用者の下胴部の胴体前側領域に近接して配置され、前記シャーシ後側領域及び前記インサート後方領域が前記着用者の下胴部の胴体後側領域に近接して配置された状態で、前記着用者に最適に機能又は密着するように構成され、及び
前記第１のインサートの印が、前記シャーシ又は前記着用者に対する前記インサートの正しい前後の向きに関する情報をユーザーに提供するように適合されることを特徴とする、物品。
【請求項２】
前記シャーシが一対の伸縮性のある脚部バンド部分を含む、請求項１に記載の物品。
【請求項３】
前記インサートが、その上に配置された第１の締結要素を含み、該第１の対応の締結要素が合体されると前記インサートと前記シャーシとの締結をもたらすように、該第１の締結要素と前記第１のインサート締結要素とが協働する、請求項１又は２に記載の物品。
【請求項４】
前記シャーシが、その上に配置された第２のインサート締結要素を含み、前記第１の締結要素と該第２のインサート締結要素が合体されると前記インサートと前記シャーシとの締結をもたらすように、前記第１の締結要素は前記第２のインサート締結要素と協働しない、請求項３に記載の物品。
【請求項５】
前記第１の締結要素が前記第１のインサートの印を含む、請求項４に記載の物品。
【請求項６】
前記インサートが横方向幅を有する後部末端部を有し、前記第１のインサート締結要素及び前記第１の締結要素が、それぞれ、前記シャーシ後側領域及び前記インサート後方領域内に配置され、前記第１の締結要素が前記インサート上で横方向に中心合わせされ、前記インサートが前記シャーシ内に完全に設置されると、前記第１の締結要素と前記第１のインサート締結要素と前記シャーシとが、前記シャーシの前記横方向幅の約５０％を超えて力結合しないように適合される、請求項３〜５のいずれか一項に記載の物品。
【請求項７】
前記インサートが、前記インサート後方領域内に横方向補強材を含む、請求項３〜６のいずれか一項に記載の物品。
【請求項８】
前記シャーシが、その上に配置された第１のシャーシの印を含み、該第１のシャーシの印及び前記第１のインサートの印が、前記シャーシに対する前記インサートの正しい前後の向きに関する情報をユーザーに提供するために協働するように適合される、請求項１〜７のいずれか一項に記載の物品。
【請求項９】
前記第１のシャーシの印及び前記第１のインサートの印が、前記シャーシ及び／又は前記着用者に対する前記インサートの正しい前後の向きに関する視覚的又は触覚性合図を提供するように適合された対応の視覚的又は触覚性要素を含む、請求項８に記載の物品。
【請求項１０】
着用者の下胴部の周囲に着用されるように適合されたシャーシと共に使用するための使い捨て吸収性インサートであって、該インサートは、長手方向長さと、インサート前方領域と、インサート後方領域と、前記長手方向長さを均等に分割する前記前方領域と後方領域との間のインサート横方向軸と、横方向幅を有する後部末端部とを有し、前記インサートは、
前記インサート横方向軸に対して非対称であり、
一対の伸縮性起立カフと、その上に配置されるインサートの印とを更に含み、
前記インサート前方領域が前記着用者の下胴部の胴体前側領域に近接して配置され、かつ前記インサート後方領域が前記着用者の下胴部の胴体後側領域に近接して配置された状態で、前記着用者に最適に機能及び／又は密着するように構成され、及び
前記インサートの印が、前記シャーシ又は前記着用者に対する前記インサートの正しい前後の向きに関する情報をユーザーに提供することを特徴とする、使い捨て吸収性インサート。
【請求項１１】
前記インサート後方領域の上に配置されかつ前記インサート後方領域内で横方向に中心合わせされた締結要素を更に含み、該締結要素は前記横方向幅の５０％を超えて延在しない、請求項１０に記載のインサート。
【請求項１２】
前記インサート後方領域内に横方向補強材を更に含む、請求項１１に記載のインサート。
【請求項１３】
着用者の下胴部の周囲に着用されるように適合され、横方向幅を有する後部末端部を有する使い捨て吸収性インサートと共に使用されるように適合されたシャーシであって、該シャーシは長手方向長さを有し、かつ
シャーシ前側領域と、シャーシ後側領域と、前記長手方向長さを均等に分割する該前側領域と該後側領域との間のシャーシ横方向軸と、一対の伸縮性のある脚部バンド部分と、を含み、前記シャーシは、
前記シャーシが前記シャーシ横方向軸に対して非対称であり、
前記シャーシが、前記シャーシ後側領域内に配置され、かつ前記シャーシ内への前記インサートの締結をもたらすように前記インサートの後方領域上の締結要素と協働するように適合された、横方向に中心合わせされたインサート締結要素を含み、該横方向に中心合わせされたインサート締結要素は前記横方向幅の５０％を超えて延在せず、
前記シャーシが、前記シャーシ前側領域が前記着用者の下胴部の胴体前側領域に近接して配置され、かつ前記シャーシ後側領域が前記着用者の下胴部の胴体後側領域に近接して配置された状態で、前記着用者に最適に機能及び／又は密着するように構成され、
前記シャーシの前記後方領域が、ニット布材料で形成される層を含み、及び
前記シャーシが再利用可能であることを特徴とする、シャーシ。
【請求項１４】
その上に配置され、前記インサート又は前記着用者に対する前記シャーシの正しい前後の向きに関する情報をユーザーに提供するように適合されたシャーシの印を更に含む、請求項１３に記載のシャーシ。
【請求項１５】
前記インサート締結要素が前記シャーシの印を含む、請求項１４に記載のシャーシ。
【発明の詳細な説明】
【背景技術】
【０００１】
布の発明以来、布で作製された再利用可能なおむつが使用されてきたと思われる。しかしながら、再利用可能な布おむつは、取り扱い時の衛生、並びに再使用のために汚れたおむつを効果的に洗濯する及び衛生的にする必要性に関連した欠点を有する。
【０００２】
比較的最近になって使い捨ておむつが導入されたことで、多くの人にとってのこれら不利点が緩和された。一般に、着用者から取り除く際に、汚れた使い捨ておむつを有意な規模で空にする、洗濯する、又は処理する必要はなく、むしろそのままで廃棄することができる。次に、着用者の身体の任意の汚れた領域を清潔にすることができ、必要に応じて清潔な新しい使い捨ておむつを着用者に着けさせることができる。
【０００３】
経済的理由で、現在のところ、ほとんどの使い捨ておむつは、かなり大きな割合でポリプロピレン及び／又はポリエチレンなどの石油由来の材料で製造されている。これらの材料は、布様不織布ウェブ材料を形成する紡糸繊維、あるいは又はこれに加えて、フィルムの形態で見られることが多い。
【０００４】
最近では、あらゆる種類の人間活動の「環境フットプリント」についての懸念が生じている。おむつの製造及び使用は、特に人口増加、即ち、乳児の数の増加を考えると、決して例外ではない。１つの見方は、通常使い捨ておむつを製造する材料は再生不可能な資源由来であり得、それらを製造するのに相当量のエネルギーを必要とするので、使い捨ておむつの使用は環境にとって有害になるというものであるように思われる。更に、使い捨ておむつは、典型的には再使用又は再利用されないので、一部の人は、それらの使用が埋立地などのごみ処分施設に不満足な方法で重い負担をかけると考える場合がある。しかしながら、代替物が再利用可能な布おむつである場合、別の見方は、それらおむつが通常使用される割合で汚れたおむつを洗濯するのに必要な（例えば、機器を運転する、洗濯用の水を加熱する、及び廃水を処理するための）エネルギー、及び薬品（例えば、洗剤及び水処理剤）の使用の増加、及び付随する廃水の処理は、それ自体が環境への一連のストレスを引き起こすことになるというものであるように思われる。理解されるように、どの代替物がより「環境に優しい」のかに関する分析は複雑であり、どちらにしても、誰もが認める結論はまだ存在しないように思われる。
【０００５】
しかしながら、どの代替物がより環境に優しいと考えることができるかにかかわらず、先進国では、現在の使い捨ておむつは一般に、乳児及び幼児の世話人の間では再利用可能な布おむつよりも好ましいように思われる。これは恐らく、不快感、衛生面に関する懸念、並びに汚れた再利用可能な布おむつの取り扱い及び洗濯に関連する手間及び／又は出費の低減若しくは排除といった利点に原因がある。更に、現在利用可能な多くの種類の使い捨ておむつは、尿を皮膚から離して運びかつ貯蔵し及び／又はスキンケア組成物で皮膚を保護し、これによりおむつかぶれなどの皮膚状態を回避するのを助けるという点で、布おむつより優れていると考えられている。
【０００６】
完全に使い捨てであるおむつの製造は、一般に、資本集約的ビジネスであると考えられる。これは、多くの場合、経済的に実現可能な生産率で入ってくる材料の流れから製品を製造するのに必要な、複雑な機械装置によってもたらされ、この生産率は多くの場合、製品製造ラインあたり１分間に物品４５０個以上を超える。必要なプロセス若しくは設備の簡略化、又は材料費の低減につながる可能性を有するあらゆる技術革新は、製造業者及び消費者にとっては、物品あたりの費用の低減につながる潜在性を有する。
【発明の概要】
【発明が解決しようとする課題】
【０００７】
上述の懸念を考慮し、使い捨て及び再利用可能なおむつの代替物のそれぞれの不利点を低減しながら、使い捨て及び再利用可能なおむつの両方からもたらされる利点を提供する着用可能吸収性物品が得られれば有利であろう。製造プロセスを簡略化し及び／又は経費を削減することが可能な構成体が提供されれば、更に有利であろう。
【図面の簡単な説明】
【０００８】
【図１】着用者によって下胴部の周りに着用されて示されている、着用可能吸収性物品の斜視図。
【図２Ａ】外表面が見る人に面している、開かれかつ平らにされたシャーシの平面図。
【図２Ｂ】内表面が見る人に面している、開かれかつ平らにされたシャーシの平面図。
【図３】自立した弛緩状態で示されている、シャーシから切り離されて示されている使い捨て吸収性インサートの斜視図。
【図４】身体に面する面が見る人に面している、延伸され平らにされて示されている使い捨て吸収性インサートの平面図。
【図５Ａ】図４の線５Ａ−５Ａで切断された、図４に示されるようなインサートの例の断面図。
【図５Ｂ】図４の線５Ｂ−５Ｂで切断された、図４に示されるようなインサートの例の断面図。
【図５Ｃ】図４の線５Ｃ−５Ｃで切断された、図４に示されるようなインサートの別の例の断面図。
【図５Ｄ】図４の線５Ｄ−５Ｄで切断された、図４に示されるようなインサートの別の例の断面図。
【図５Ｅ】図４の線５Ｅ−５Ｅで切断された、図４に示されるようなインサートの別の例の断面図。
【図５Ｆ】図４の線５Ｆ−５Ｆで切断された、図４に示されるようなインサートの別の例の断面図。
【発明を実施するための形態】
【０００９】
定義
この説明の目的上、以下の用語は、次に記載の意味を有するものとする。
【００１０】
「吸収性インサート」とは、尿、糞便、経血又はこれらの任意の組み合わせを収容及び／又は吸収するように適合され、かつ構成部分単位としてシャーシに設置可能及びシャーシから取り外し可能であるように適合された、着用可能吸収性物品の構成要素を意味する。
【００１１】
「シャーシ」とは、着用者の下胴部の周りに着用されるように適合され、かつ吸収性インサートを支持して、インサートを着用者の身体の近くに保持するように適合された、着用可能吸収性物品の構成要素を意味する。
【００１２】
「使い捨て」とは、吸収性インサートについて言及する場合、吸収性インサートが、通常の家庭での洗濯プロセス及び住宅設備で効果的に衛生的に洗濯されるように適合又は意図されておらず、したがって通常は、排出物によって汚れてシャーシから取り外された後に、新品同様の意図された機能及び性能を提供するために、衛生的かつ効果的に再使用するのに好適でないことを意味する。非限定的な例として：再使用の際に新品同様に有効となるように通常の家庭での洗濯及び乾燥を経て、それらの実質的な新品同様の物理的形状又は構造を維持することができない；水性液体を吸収し、再使用の際に新品同様に有効となるように通常の家庭用乾燥装置及び通常の乾燥サイクルで十分に乾燥／脱水されることができない；通常の家庭での洗濯又は乾燥によって溶解して又は実質的に分解して、インサートが実質的に損傷を受ける又は役に立たなくなる；及び／又は、通常の洗濯によって、再使用のために衛生上又はその他で許容可能となるように排出物質を有効に洗浄することができない、材料及び／又は構成体を含むことによって、効果的な洗濯が失敗させられ又は阻止されて、インサートが使い捨てにされる可能性がある。
【００１３】
「締結要素」とは、第１の構造体と第２の構造体の取り外し可能な締結、取り付け、又は保持をもたらすシステムの任意の要素を意味する。該システムは、単一締結要素、例えば、第２の構造体の１種類以上の表面に付着するように適合された第１の構造体上の接着パッチ、若しくはフック、又は第２の構造体の１種類以上の表面を引っかけるように適合された第１の構造体上のフックのパッチ、を有してもよい。更なる例として、第２の構造体を全部又は一部において捕捉する及び保持するように構成された、第１の構造体上のポケット、ストラップ、フック、バックル等の任意の構造体は、本明細書において使用される「締結要素」である。該システムはまた、２つ以上の締結要素、例えば、フック・アンド・ループ締結システム（例えばＶＥＬＣＲＯなど）の各要素、粘性材料が塗布された各表面、雌雄スナップ締結要素、ボタンとボタン穴、スロット又はループ、その他の締結可能に協働する要素等を含むことができる。締結要素のその他の例には、ジッパー要素、「ジップロック」係合要素、ループ、ポスト、ポケット、バンド又はストラップ、マイクロファスナー、マクロファスナー、及び次の文献に記載されているような締結要素が挙げられる：米国特許第６，９３６，０３９号；同第６，８９３，３８８号；同第６，６６９，６１８号；同第６，４３２，０９８号；及び同第６，２５１，０９７号；並びに米国公開出願第２００５／０２３４４１９号；同第２００５／０２１５９７１号；同第２００５／０２１５９７０号；同第２００５／０１３０８２１号；同第２００４／００２３７７１号；同第２００３／０２３３０８２号；同第２００３／０１１９６４１号；同第２００３／００８８２２０号；及び同第２００２／０１６９４３１号。
【００１４】
「横方向」（及びその文法的変形）とは、着用者に関し、着用者の前部から後部（又は逆もまた同様）に延びる方向と略横断する又は交差する方向に沿っていることを意味する。着用可能吸収性物品の構成要素に関し、「横方向」（及びその文法的変形）とは、構成要素が着用者の上に適切に位置している場合に着用者の前部から後部（又は逆もまた同様）に構成要素に沿って延びる方向と略横断する又は交差する方向に沿っていることを意味する。
【００１５】
「長手方向」（及びその文法的変形）とは、着用者に関し、着用者の前部から後部（又は逆もまた同様）に概ね延びる方向に沿っていることを意味する。着用可能吸収性物品の構成要素に関し、「長手方向」（及びその文法的変形）とは、構成要素が着用者の上に適切に位置している場合に着用者の前部から後部（又は逆もまた同様）に構成要素に沿って概ね延びる方向に沿っていることを意味する。
【００１６】
「再利用可能」とは、シャーシについて言及するとき、シャーシの実質的に新品同様の機能性を提供するのに必要なシャーシのあらゆる構成要素を実質的に破壊することなく、かつ、インサートの交換の後にあらゆる修理又は再構築の必要なく、少なくとも第１のインサートの取り外し、及び少なくとも第２のインサートとの交換を可能にするように適合されたシャーシを意味する。
【００１７】
「使用」とは、シャーシに関し、吸収性インサートが交換されるまでシャーシを着用する１つの事象を意味する。
【００１８】
「ユーザー」とは、着用可能吸収性物品を着用者に適用することができる世話人又はその他の人を意味する。着用者が着用可能吸収性物品を自分自身に身に着けることができる場合、着用者もまた「ユーザー」である。
【００１９】
「着用者」とは、本明細書に記載の着用可能吸収性物品を着用することができる人を意味する。
【００２０】
「着用可能吸収性物品」とは、下胴部の周りに着用されるように、並びに尿、糞便、経血又はこれらの任意の組み合わせを収容及び／又は吸収するように設計された任意の物品を意味する。「着用可能吸収性物品」には、（「テープ」締結可能な、別の方法で締結可能な、「プルアップ式」の、又は任意のその他の種類の）乳児又は幼児用おむつ、トレーニングパンツ及び成人用失禁パンツ、ブリーフ等が挙げられるが、これらに限定されない。
【００２１】
２部分からなる着用可能吸収性物品
図１は、着用者によって着用されて示されている、一定の特徴を有する着用可能吸収性物品１０の例を示す。着用可能吸収性物品１０は、前側腰部縁部２１と、後側腰部縁部２２と、一対の脚部開口部縁部２３とを有する外側シャーシ２０を含んでもよい。
【００２２】
図２Ａ及び図２Ｂは、開かれかつ平らにされて示されているシャーシ２０を示している。図２Ａでは、シャーシ２０の外表面が見る人に面しており、図２Ｂでは、シャーシ２０の内表面が見る人に面している。前側及び後側腰部縁部２１、２２は、それぞれ、図面の上部及び下部に示されている。シャーシ２０は、股領域２６と、前側領域２７と、後側領域２８と、後側領域２８から横方向に延びる一対の締結用耳部２９とを有していてもよい。シャーシ２０は、前側腰部縁部２１の一番前の部分から後側腰部縁部２２の一番後ろの部分までの長さと、この長さを均等に分割するシャーシ横方向軸４５とを有する。したがって、前側領域２７はシャーシ横方向軸４５より前方であり、後側領域２８はシャーシ横方向軸４５より後方である。シャーシ２０は、前側及び後側インサート締結要素３３、３２など、その上に配置された１つ以上のインサート締結要素を有してもよい。
【００２３】
図３は、シャーシ２０から切り離されて、自立した弛緩状態で示されている、着用可能吸収性物品１０の内部構成要素を形成することができる使い捨て吸収性インサート５０を斜視図で示している。インサート５０は、身体排出物を収容及び／又は吸収するように設計されていてもよく、以下に更に記載されるような可撓性材料で作製されてもよい。インサート１０は、前方領域５４と後方領域５５とを有しており、前側締結要素５６と後側締結要素５７とを含んでいてもよい。インサート１０は、身体に面するライナー又はトップシート５１と、外側ライナー又はバックシート５２と、一対の起立カフ５３とを含んでもよい。図４を参照すると、インサート５０は、前方領域５４の一番前の部分から後方領域５５の一番後ろの部分までの長さを有し、インサート横方向軸７０はこの長さを均等に分割する。したがって、前方領域５４はインサート横方向軸７０より前方であり、後方領域５５はインサート横方向軸７０より後方である。
【００２４】
図２Ｂ及び図３を参照すると、インサート５０は、その上に配置された後側締結要素５７を有してもよい。あるいは、又はこれに加えて、シャーシ２０は、その上に配置された後側インサート締結要素３２を有していてもよい。同様に、インサート５０は、その上に配置された前側締結要素５６を有していてもよい。あるいは、又はこれに加えて、シャーシ２０は、その上に配置された前側インサート締結要素３２を有していてもよい。２つの要素からなる締結システムを使用する場合、締結要素対５７、３２及び５６、３３は、これらの対応の要素が合体されたときにそれらの間に締結をもたらす協働要素であってもよい。したがって、示されている例では、吸収性インサート５０をシャーシ２０内に設置するために、ユーザーはシャーシ２０を平らに置き、内表面２５を上に向け、後側締結要素５７が後側インサート締結要素３２に面しかつ前側締結要素５６が前側インサート締結要素３３に面するようにインサート５０を広げて向きを定め、それらの間に締結をもたらすためにこれら対応の締結要素対５７、３２及び５６、３３を合体させることができる。
【００２５】
シャーシ２０が再利用可能であることが望ましい場合は、インサートの取り外し及び交換の後にシャーシ２０が（洗濯又は廃棄を必要とせずに）実質的に衛生的で有用であるのを保つために、着用者が排泄物（特に糞便）を排出した後に、シャーシ２０の全ての部分を実質的に汚されていない状態に保つことが望ましくあり得る。したがって、インサート５０をシャーシ２０内に設置する際に、少なくとも排出物を排泄する着用者の身体特徴に近接する領域内において、インサート５０の着用者に面する表面のかなりの部分に横たわる又はこれを覆うシャーシ２０の取り外し可能でない部分又は構成要素が存在しない（別の表現をすると、着用可能吸収性物品が着用されたときに、シャーシ２０の取り外し可能でない部分又は構成要素が、インサート５０のかなりの部分と着用者との間に位置しない）ことが望ましくあり得る。したがって、着用可能吸収性物品が着用されたときに、シャーシ２０は、シャーシ２０内のインサート５０の着用者に面する表面のかなりの部分を覆う又は収容する取り外し可能でないカバーシート等を含まず、そしてまた、排出物の排泄ポイントに近接するインサートを実質的に包み込む又は覆う、あるいは実質的にインサート５０と着用者の肛門及び／又は生殖器との間に位置する、ポケット、ストラップ又はフラップなどの上部構造を含まないのが望ましくあり得る。シャーシ２０がそのような上部構造を有さない場合、このことは、着用者の排出物がインサート５０のみに接触し、シャーシ２０の一部分に接触しない可能性を高める。
【００２６】
図１、図２Ａ及び図２Ｂを参照すると、股領域２６が着用者の脚の間にあり、前側腰部縁部２１及び後側腰部縁部２２を図１におおよそ示されるような位置に持っていき、それから締結用耳部２９を前側領域２７に固定して、図１に示されるように着用者の周囲にパンツ様衣類が形成されるように、着用者の脚の間及び臀部の下にシャーシ２０を包み込むことによって、着用可能吸収性物品１０が着用者の上に設置され得るのがわかる。インサート５０がシャーシ２０の中に設置されると、次に、インサート５０はシャーシ２０内で着用者の近くに配置され、起立カフ５３は向きを定められて、脚縁部２３の内側部分に隣接して長手方向に（即ち、着用者の脚の間で長手方向に）延びる。
【００２７】
考えられるシャーシの詳細の例
締結システム
図２Ａ及び図２Ｂを参照すると、締結用耳部２９と前側領域２７との締結を可能にするために、締結用耳部２９は、その上に配置されたシャーシ締結要素３０を有することができる。あるいは、又はこれに加えて、前側領域２７は、その上に配置された１つ以上の受け側締結要素３１を有することができる。締結要素３０、３１は、耳部２９と前側領域２７の締結をもたらすために協働するように選択され得る。
【００２８】
１つの例において、シャーシ締結要素３０はフックのパッチを有してもよく、受け側締結要素３１はループのパッチを有してもよい。好適なフック・アンド・ループ締結システムの例は、ＶＥＬＣＲＯシステム（Ｖｅｌｃｒｏ  Ｉｎｄｕｓｔｒｉｅｓ  Ｂ．Ｖ．の製品）である。フック・アンド・ループ締結システムは特定の利点を提供する。個々のフック及びループ要素はシート状で供給されるので、これらシート状の要素を適切な形状のパッチに切断することができ、このパッチを、接着剤結合、機械的結合、超音波接合、縫合、縫製、縁かがり、縁取り等の様々な手段で、布又は不織布基材に添着することができる。図２Ｂに示されるように、フック又はループのパッチを締結用耳部２９に添着してシャーシ締結要素３０を形成する場合、図２Ａに示されるように、協働するフック又はループ材料の横方向に延びるパッチは、シャーシ前側領域２７に添着されて受け側締結要素３１を形成することができる。耳部２９と前側領域２７の締結を、前側領域２７上の横方向に異なる位置に提供することにより、この構成は、着用可能吸収性物品の腰部開口部寸法の容易で単純な調節機能をもたらす。
【００２９】
別の例では、上述の通り、シャーシ締結システムは他の種類の締結要素を含んでもよい。腰部開口部寸法の調節機能を提供するために、前側領域２７に配置された拡張された面又は複数の協働締結要素と協働する、締結用耳部２９上に配置された締結要素を使用してもよい。受け側締結要素は、前側領域２７上に横方向配列で多重配置されて、対応の耳部２９を前側領域２７の横方向に異なる位置に締結可能にすることができる。
【００３０】
図２Ｂを参照すると、シャーシ２０は、その上に配置された１つ以上の対応の締結具プロテクタ３９を更に有してもよい。この特徴は、保管、運搬、洗濯、及び同様の／関連した活動の間に、シャーシ、又は他の物品、の一部分に無作為に又は意図せずに係合しやすい及び引っかかりやすい特徴を有する締結要素が、そのようになるのを防止して、そのような活動中に起こり得る塊化（bunching）、絡み合い及び／又はシャーシ２０若しくは他の物品のいずれかへの損傷を回避することができる。例えば、締結要素３０がフックのパッチである場合、適切に載置された締結具プロテクタ３９は、対応するループのパッチを含んでもよい。これにより、ユーザーは、フック要素を有する耳部２９の一部分を保持可能に折り重ねて、シャーシ２０が着用されていないときにはフック要素を覆って、フック要素が他の物品にひっかかるのを防止することができる。
【００３１】
材料
シャーシ２０、及び／又はシャーシ２０の層又は一部分は、意図される着用者の皮膚との適切な適合性を有している、任意のニット生地、織布、若しくは不織布地、又は布様材料で製造されることができる。シャーシ２０は、耐久性のある材料及び／又は半耐久性の材料で構成されてもよい。一般に、本説明における参照のみを目的として、「耐久性のある」は、洗濯可能な衣類物品の構成要素として使用され得る、あらゆる種類の織布材料又はニット生地材料を指し、「半耐久性」は、シャーシの材料として使用されるときに、役に立たない状態になる程度までその構造的一体性を失わずに、インサートを備えた１回を超える使用に耐えることができる不織布材料又はその積層体を指す。このように、シャーシ２０は、シャーシ２０を再利用可能及び／又は洗濯可能にする材料及び構成体で構成され得る。
【００３２】
シャーシ２０を作製することができる耐久性のある材料は、おむつ、パンツ、下着、高性能衣類、スポーツ衣類、又は一般的な衣類若しくは紡織分野において既知の、任意の天然又は合成繊維材料を含むことができる。耐久性のある材料は、綿、亜麻布、羊毛、竹、麻布、絹、レーヨン等の天然繊維、並びに、これらの繊維のいずれかと他のいずれかとのブレンド、又はこれらの繊維のいずれかと合成繊維とのブレンドで作られる織布又はニット生地を含むことができる。耐久性のある材料の構成要素として使用するのに好適な合成繊維の例には、ポリエステル、ナイロン、スパンデックス及び／又はその他のエラストマー繊維が挙げられる。耐久性のあるシャーシ材料はまた、ＧＯＲＥ−ＴＥＸ（Ｗ．Ｌ．Ｇｏｒｅ  ＆  Ａｓｓｏｃｉａｔｅｓ，Ｉｎｃ．，Ｅｌｋｔｏｎ，ＭＤの製品）；ＯＵＴＬＡＳＴ  ＣＯＭＦＯＲＴＥＭＰ繊維（Ｏｕｔｌａｓｔ  Ｔｅｃｈｎｏｌｏｇｉｅｓ，Ｂｏｕｌｄｅｒ，ＣＯの製品、例えば、米国特許第６，５１４，３６２号及び同第６，２０７，７３８号を参照のこと）、ＣＯＯＬＭＡＸ（Ｉｎｖｉｓｔａ，Ｗｉｃｈｉｔａ，ＫＳの製品）等のマイクロカプセル化した相変化高分子材料を含む繊維などの、通気性の良い撥水加工が施された材料を含むことができる。
【００３３】
好適な耐久性のある材料は、バーズアイ生地、テリー織、フリース、フランネル、ニット、ストレッチニット、シェルパ、スエード生地、マイクロフリース、サテン、ベロア、バリーニット等などの、任意の織り布又は編み布の形態に形成されてもよい。好適な例には、ＰＯＬＡＲＴＥＣＨ  ＰＯＷＥＲ  ＤＲＹ、ＰＯＷＥＲ  ＳＴＲＥＴＣＨ及びＷＩＮＤ  ＰＲＯ（Ｐｏｌａｒｔｅｃ，ＬＬＣ，Ｌａｗｒｅｎｃｅ，ＭＡの製品）が挙げられる。織布材料又は不織布材料よりも本質的に伸縮性があり弾性であり得るニット生地は、より良好な密着、快適性及び／又は外観をシャーシに付与することができる。スパンデックス繊維又は他のエラストマー繊維を組み込むことにより、伸縮性及び弾力性を高めることができ、それにより、そのような弾性繊維を含まない布地よりも良好な密着、快適性及び／又は外観をシャーシに付与することができる。
【００３４】
耐久性のあるシャーシの材料の特定の好適な材料には：レーヨン（９３％）とスパンデックス（７％）繊維；モーダル（９４％）とスパンデックス（６％）繊維；綿とスパンデックス繊維；及び竹とスパンデックス繊維、のブレンドのジャージーニットが挙げられる。約２Ｘ以上の伸張能力を有する材料が望ましくあり得る。材料の好適な例は、１層につき約０．０１４〜０．０２３グラム／ｃｍ２（０．０９〜０．１５グラム／インチ２）の坪量、又はその他の坪量を有していてもよい。
【００３５】
耐久性のあるシャーシの材料は、所望の快適性、外観及び性能をシャーシ２０に付与するように選択されてもよい。ある状況では、広範囲にわたって汚れる又は損傷を受けた場合に、費用及び罪悪感の問題を最小限にして廃棄できるように、十分に安価な耐久性のあるシャーシ材料を選択するのが望ましくあり得る。
【００３６】
半耐久性のシャーシ材料は、おむつ又はパンツの分野で既知の、任意の天然又は合成の不織布ウェブ及び／又はフィルム材料を包含することができる。シャーシ２０を構成することができる半耐久性の材料は、使い捨ておむつの構成要素として用いられる不織布ウェブ材料を形成するために使用される、ポリプロピレン及び／又はポリエチレン繊維、ポリエステル繊維、並びに任意のその他の合成繊維、及びこれらのブレンドの不織布ウェブ材料を包含することができる。綿、亜麻布、羊毛、竹、麻布、絹、レーヨン等の天然繊維は、シャーシ２０の構成要素層として好適なそのような不織布ウェブを形成するために、合成繊維とブレンドされてもよい。
【００３７】
半耐久性のシャーシ材料として使用されることが考慮され得る繊維、不織布、及び不織布とフィルムとの積層体の非限定的な例は、米国特許第７，２２３，８１８号；同第７，２１１，５３１号；同第７，０６０，１４９号；同第６，９６４，７２０号；同第６，９０５，９８７号；同第６，８９０，８７２号；同第６，８８４，４９４号；同第６，８７８，６４７号；及び同第５，５１８，８０１号；並びに米国公開出願第２００８／０３１９４０７号；同第２００８／００４５９１７号；同第２００７／０２９３１１１号；同第２００７／０２８７９８３号；同第２００７／０２８７３４８号；同第２００７／０２４９２５４号；同第２００７／０２０３３０１号；及び同第２００５／０１６４５８７号に見出すことができる。
【００３８】
半耐久性のシャーシ材料はまた、所望の快適性、外観及び性能をシャーシ２０に付与するように選択されてもよい。ある状況では、広範囲にわたって汚れる又は損傷を受けた場合に、費用及び罪悪感の問題を最小限にして廃棄できるように、十分に安価な半耐久性のシャーシ材料を選択するのが望ましくあり得る。
【００３９】
シャーシはまた、又は更には、改善された液体浸透耐性及び／又は弾性特性を提供するために、弾性であり得る積層された又は実質的に独立したフィルム層を有してもよい。弾性特性は、弾性ストランド、バンド、スクリム等などの他の材料を、層、バンド、又はストリップ形式でシャーシに加えることによって付加される又は強化されることもできる。フィルム層は、耐久性のある材料又は半耐久性の材料と共に積層されてもよい。フィルム層は、ＫＲＡＴＯＮ（Ｋｒａｔｏｎ  Ｐｏｌｙｍｅｒｓ  Ｕ．Ｓ．，ＬＬＣ，Ｈｏｕｓｔｏｎ，Ｔｅｘａｓの製品）ベースのエラストマーを含んでもよく、又は更なる例として、ＥｘｘｏｎＭｏｂｉｌ  Ｃｈｅｍｉｃａｌ  Ｃｏｍｐａｎｙ，Ｈｏｕｓｔｏｎ，ＴＸから入手可能なＶＩＳＴＡＭＡＸＸをベースとするエラストマー；ＦＬＥＸＡＩＲＥ、ＥＸＴＲＡＦＬＥＸ又はＦＡＢＲＩＦＬＥＸ（Ｔｒｅｄｅｇａｒ  Ｆｉｌｍ  Ｐｒｏｄｕｃｔｓ  Ｃｏｒｐｏｒａｔｉｏｎ，Ｒｉｃｈｍｏｎｄ，ＶＡの製品）、及びＦｕｌｆｌｅｘ  Ｅｌａｓｔｏｍｅｒｉｃｓ  Ｗｏｒｌｄｗｉｄｅ（Ｇｒｅｅｎｖｉｌｌｅ，ＴＮ）から入手可能な種々のラテックスを含有しないエラストマーシートを含んでもよい。
【００４０】
布又は不織布層の繊維状の構成要素として又はフィルム層としてのいずれかでエラストマー材料を含むことにより、着用者の生体構造及び動きに適合するのに有用であると考えることができる場所（例えば着用者の臀部の上及び／又は腰部領域の周囲）に改善された伸縮性及び弾力性を提供し、かつ改善された密着及び快適性を提供する。更に、フィルム層を含む場合には、更なる液体閉じ込め能力をシャーシに付与することができる。着用されている状態のシャーシ内に通気性を提供して湿度を低減し、液体閉じ込め能力が望ましい場合に皮膚が水分過剰になる可能性を低減するために、フィルム層は、実質的に液体不透過性であるが蒸気透過性であるフィルムを包含してもよい。
【００４１】
図２Ａを参照すると、１つの例において、外表面２４は、耐久性のある材料又は半耐久性の材料の第１の層によって形成されてもよい。選択される材料は、疎水性を有して、かかる第１の層に改善された液体閉じ込め特性を提供する繊維を包含することができる。しかしながら、別の例では、材料がもっと簡単に液体を吸収及び／又は透過することができるように、選択される材料が、親水性繊維、又は親水性になるように処理された繊維を包含することが、ある状況では望ましくあり得る。これは、液体排出物がインサートから流出する事象に対してシャーシ内に追加の吸収性を提供する、又は液体排出物がインサートから流出したことをユーザーに知らせる１つの方法を提供するのに貢献することができる。更に、ある状況では、ユーザー及び／又は着用者が魅力的だと感じる心地よい感触を有するように、選択される材料は柔らかな触覚性を有するのが望ましくあり得る。材料はまた、色合い、光沢、質感等を非限定的に含む所望の外観を有するように選択されてもよい。
【００４２】
図２Ｂを参照すると、別の例において、内表面２５は、耐久性のある材料又は半耐久性の材料の第２の層で形成されてもよい。選択される材料は、疎水性を有して、第２の層に改善された液体閉じ込め特性を提供する繊維を包含することができる。しかしながら、別の例では、材料がもっと簡単に液体を吸収及び／又は透過することができるように、選択される材料が、親水性繊維、又は親水性になるように処理された繊維を包含することが、ある状況では望ましくあり得る。これは、液体排出物がインサートから流出する事象に対してシャーシ内に追加の吸収性を提供する、液体排出物がインサートから流出したことをユーザーに知らせる１つの方法を提供する、及び／又はより乾燥したより快適な感触を目的として、皮膚から水分を引き離す傾向がある層を提供するのに貢献することができる。更に、ある状況では、皮膚に対して、特にシャーシと着用者の皮膚との間にインサートのどの部分も存在しないことが見込まれる領域内の皮膚に対して心地よい感触を有するように、選択される材料が柔らかな触覚性を有するのが望ましくあり得る。別の例では、材料の第２の層は、例えばエラストマー材料の繊維（例えばスパンデックス）を含むなどして強化された弾力性を有する繊維材料で形成されてもよい。別の例では、中間フィルム層を別の層と共に包含してもよく、積層してもよく、又は積層しなくてもよい。
【００４３】
上述のように、１つを超える層（例えば、２つ、又はそれより多くの層）のシャーシ２０を形成することにより、様々な利益を提供することができる。第２の層（及び任意の追加層）は、シャーシ２０全域に、横方向と長手方向の両方の追加の引張り強度を提供することができる。更に、第１の層は第１の一連の特性のために選択されてもよく、第２の層は第２の一連の特性を目的として選択されてもよい。例えば、第１の層を形成する材料は、比較的高い弾力性、並びに特定の質感、色及び／又はその他の外観に関連した特性を有するように選択されてもよく、第２の層を形成する材料は、内層の目的上、比較的高い疎水性及び／又は皮膚に対する柔軟性を有するように選択されてもよく、２つの層は組み合わされて、所望の特性の組み合わせをシャーシに付与する。更に、単一層と比べて、複数の層は、より滑らかでより魅力的な外観を目的として、インサートの隆起、角部、シーム、又はその他の特徴を包み隠すように良好に機能する。
【００４４】
異なる材料の異なる層を形成するのに加えて、異なる材料の単一層、例えば、シャーシのそれぞれの前側領域、股領域及び／又は後側領域の材料が異なる単一層を形成するのが望ましくあり得る。そのような異なる材料は、内部シーム４０及び／又は外部シーム４１などのシームで結合されてもよい。例えば、後側領域２８の内表面を主に形成する材料は、主として、着用者の体輪郭の周囲に密着嵌合（snug fit）を提供し、かつ着用者の動き（即ち、臀部及び腰回りの周囲）に適合するように良好に機能し得る弾性特徴を目的として選択されてもよい。ちなみに、前側領域２７及び／又は股領域２６の内表面を主に形成する材料は、主として、液体排出物を収容するように良好に機能し得る疎水性特徴を目的として選択されてもよい。
【００４５】
シャーシの層又はその他の要素は、例えば、接着剤、機械的結合、超音波接合、縫合、縫製、縁かがり、縁取り等の任意の好適な手段によって互いに結合されてもよい。
【００４６】
伸縮性腰部バンド、脚部バンド
図１、図２Ａ及び図２Ｂを再び参照すると、前側腰部バンド部分３４、後側腰部バンド部分３５、及び脚部バンド部分３６が図示されている。これらバンド部分３４、３５、３６の１つ以上は、スパンデックスなどのエラストマー高分子材料の１つ以上のストランド又はストリップで形成されてもよく、このストランド又はストリップは、シャーシ２０の内層及び／又は外層を形成する材料の縁部を包含し得る不織布又は繊維材料に被包されて、それぞれのバンド部分を形成しかつ伸縮性を持たせる。弾性材料は、ピンと張った状態で、又は加えられた歪ゼロで、シャーシ層に又はシャーシ層内に添着され得る。弾性ストランド又はストリップを被包する繊維材料は、弾性ストランド又はストリップの周囲に縫い付けられて、それらをそれぞれのバンド部分の中の定位置に保持することができる。製造プロセス中に、これらのバンド部分を形成するために弾性材料が被包される及び添着される前に及びその間に、弾性材料がピンと引っ張られると、弛緩の際に、被包材料及び隣接するシャーシ材料にギャザーが寄り、それに沿って波打ち構造（ruffle）３７が形成され、ギャザーの付いたシャーシ材料がもたらされる。これは、密着嵌合、着用者の快適性及び外観を改善するのを助けることができる。バンド部分は、シャーシの縁部に沿って配置されてもよく、ある状況では、シャーシ２０が着用されている間、着用者の脚及び／又は腰部を実質的に若しくは完全に包囲するバンドを形成するように、脚部及び／又は腰部開口部のほぼ全長に沿って位置付けられたバンド部分を有するのが望ましくあり得る。波打ち構造３７内のギャザーが付けられた材料は、腰部バンド部分３４、３５及び脚部バンド部分３６の線形伸縮に適合するように機能し得る。記載されたような伸縮性脚部バンド部分３６を含むこの構成は、着用者の脚の周囲により良好な密着をもたらすことができるだけでなく、適切に寸法設定されかつ成形された材料で作製された場合に、シャーシ２０が着用されたときに股領域に袋様構造体７５（図１参照）を形成するのを可能にすることができ、この袋様構造体７５は、シャーシ内にインサート５０（図３）を収容するための空隙を提供し、かつインサート５０をシャーシ２０内の定位置で、股領域内で実質的に横方向に中心合わせされた位置に保持するのを助けるように機能し得る。このことは、以下に更に説明されるように、任意の長手方向中間位置にではなく、インサート５０の各末端部の近くのみに位置決めされた締結要素によって、インサート５０がシャーシ２０内に取り付けられる例において有利であると考えることができる。更に、そのような伸縮性のある脚部バンド部分３６によってもたらされる密着嵌合は、着用可能吸収性物品の閉じ込め能力を高める働きをすることができる。
【００４７】
腰部バンド部分３４、３５及び脚部バンド部分３６の１つ以上は、上記のやり方で、又はその他の手段によって伸縮性を持たされてもよい。例えば、従来の布製下着及びブリーフの弾性腰部バンド及び脚部バンドを形成するために使用されるような伸縮性バンド／ストリップ材料は、独立して製造されて、シャーシ２０の製造中に、シャーシ２０を形成する材料に任意の好適な方法で添着されてもよい。
【００４８】
別の例では、腰部バンド部分３４、３５及び脚部バンド部分３６の１つ以上は、接着剤及び／又は圧縮結合を用いて、脚部開口部及び／又は腰部開口部の縁部の周囲に簡単に添着された弾性材料で形成されてもよい。別の例では、弾性ストリップ材料は、複数のピンと張られたエラストマーストランド又はストリップを、未延伸の不織布ウェブ材料又はフィルムの１つ以上のストリップに添着することによって形成されてもよい。得られた弾性ストリップ材料を弛緩させると、未延伸の材料は、ギャザーの付いた未延伸の材料を含む横皺を形成し、弾性ストリップ材料の伸縮に適合することになる。その周囲に弾性ストリップ材料を添着することにより、この弾性ストリップ材料を使用して、腰部バンド部分３４、３５及び／又は脚部バンド部分３６の１つ以上を形成することができる。
【００４９】
固定バンド
図２Ａ、図２Ｂに示されるように、シャーシ２０はまた、シャーシ後側領域２８上に又はシャーシ後側領域２８内に配置される固定バンド３８のような固定補助具を有してもよい。図２Ａ及び図２Ｂに示されるように、固定バンド３８は、層に沿って添着され、又は層の間に配置されて、シャーシ２０の内表面２５及び外表面２４を形成する。固定バンド３８は、シャーシ２０の後部角部に近い位置又は締結用耳部２９に近い位置に添着される、材料のエラストマーの又は伸縮性のあるストリップ又はバンドを有してもよい。したがって、固定バンド３８は、固定バンド３８の末端部のみによって、又は固定バンド３８の限定された数の選択された中間部横方向位置においてのみシャーシに取り付けられるので、固定バンド３８は、シャーシ２０の内表面及び外表面を形成する層から、その横方向長さに沿って部分的に又は実質的に力分離（force-decoupled）され得る。例えば、固定バンド３８は、固定バンド３８の末端部においてのみ、シャーシ２０に取り付けられてもよい。別の例では、固定バンド３８は、固定バンド３８の末端部においてのみ、又は固定バンド３８の横方向中心においてのみ、シャーシ２０に取り付けられてもよい。この実質的に力分離される構成により、固定バンド３８及びシャーシ２０の周囲部分が、実質的に互いに独立して伸張する及び動くことが可能になり、より良好な密着及び快適性が促進され得る。しかしながら、別の例では、固定バンド３８は、固定バンド３８の実質的に全長に沿って、シャーシの内表面及び外表面のいずれか又は両方を形成する伸縮性材料の層が積層された、ないしは別の方法でこの層に固定された、弾性バンド、ストリップ又はストラップであってもよい。
【００５０】
着用者に適用するために横方向に引っ張られると、固定バンド３８は、物品の横方向張力を着用者の腰部の周囲に提供する（又は補完する）ように機能して、腰部開口部をゆるやかに引く傾向があり、密着を強化し、かつ着用者の腰部の周囲への着用可能吸収性物品の固定を強化することができる。固定バンドの弾性率は、包囲する、隣接する、又は同一の広がりを持つシャーシ材料の弾性率よりも大きい。
【００５１】
固定バンド、又は１つ以上の固定バンド部材のシステムは、例えば、次の文献に記載されている任意の追加特徴を有してもよい：同時係属の米国特許出願第１１／８１０，７４１号；同第１１／８１０，７０８号；同第１２／１０１，４７６号；同第１２／０２８，３１７号；同第１１／８１０，７４５号；同第１１／８１０，７４２号；同第１１／８１０，７３４号；同第１１／８１０，７７９号；同第１１／８１０，７１５号；同第１１／８１０，７３３号；同第１１／８１０，７３６号；同第１１／８１０，７７７号；及び同第１１／５９９，８６２号；同第１１／８１０，９０１号及び同第１１／５９９，８５１号；同第１１／８９９，８１２号；同第１２／２０４，８４４号；同第１２／２０４，８４９号；同第１２／２０４，８５４号；同第１２／２０４，８５８号；及び同第１２／２０４，８６４号；同第１１／８９９，８１０号；同第１１／８９９，６５６号；及び同第１１／８９９，８１１号；同第１１／８９９，８１２号；同第１２／２０４，８４４号；同第１２／２０４，８４９号；同第１２／２０４，８５４号；同第１２／２０４，８５８号；及び同第１２／２０４，８６４号。
【００５２】
別の例では、図２Ａ及び図２Ｂの固定バンド３８の図示された位置によって示されるように実質的に横方向に配向されるのではなく、又はこれに加えて、固定バンドを形成する１つ以上の部材は、長手方向と横方向との間に斜めに配向されてもよい。例えば、図２Ａに示されるように、一対の斜めの固定バンド３８ａは、シャーシの角部及び／又は締結用耳部２９に近接する位置エリアにおいて固定されるそれぞれの腰部末端部を有してもよく、図２Ａに示されるように、シャーシ２０の横方向及び長手方向両方の中心に向かってそれぞれ延びてもよい。バンド３８ａのそれぞれの中心末端部は、図２Ａに示されるように、シャーシ横方向中心近くの位置においてシャーシに添着されてもよく、バンド３８ａは、上述のように、バンド３８ａの長さに沿ってシャーシから力分離される又はシャーシに力結合（force-coupled）されてもよい。以下に更に記載されるように追加的な長手方向支持を目的としてインサートが固定バンドに接続される例では、斜めの固定バンド３８ａなどの斜めの固定バンドは、シャーシ２９に沿った追加の長手方向張力を提供して、その中に追加の長手方向支持を提供するように機能することができる。
【００５３】
シャーシの非対称性
シャーシ２０の密着、着用者の快適性、及び外観を向上させる及び／又は最大にするために、意図される着用者の解剖学的輪郭及び体の動きに適合するようにシャーシ２０を形作るのが望ましくあり得る。例えば、図２Ａ及び図２Ｂに示されるように、シャーシ２０は後側領域２８において、前側領域２７と異なる形状及び／又は前側領域２７よりも大きな材料表面積を有してもよい。後側領域における異なる形状及び／又はより大きな材料表面積は、着用者の動作（例えば、座る及び／又は腰の位置で体を前に曲げる）を通して臀部をより良好に覆うのに役立つことができ、前側領域における少ない材料表面積は、特に着用者が座る及び／又は腰の位置で体を前に曲げるなどといった姿勢にあるときに、材料が塊化する及び／又は着たときの外観が悪くなるのを回避するのに役立つことができる。その結果、シャーシの形状又は表面積は、シャーシ横方向軸４５に対して非対称であってもよい。
【００５４】
この説明を目的として、シャーシに関して使用するとき、「非対称な」及び「非対称」とは、シャーシ横方向軸４５の片側の特徴、幾何学的形状（例えば、形）、材料及び／又は構成体が、シャーシ横方向軸４５の反対側のそれらと、いくつかの点で実質的に異なることを意味する。そのような非対称な構成体は、着用可能吸収性物品の閉じ込め／吸収性能、快適性、密着及び／若しくは外観を改善するために、並びに／又は材料の使用を節約するために、意図される着用者の前側と後側で異なる身体特徴及び機能に適合するように設計されたシャーシ２０の様々な特徴を有することによりもたらされる。「非対称な」及び「非対称」は、純粋に表面的な色合い又は表面装飾；インサートの締結（例えば本明細書に記載の締結要素）；シャーシを束ねる、折り畳む、保管する、又は運搬する；シャーシ内でインサートの向きを定めるための印（逆もまた同様）（例えば本明細書に記載の向きの印）の目的だけのため、あるいは着用可能吸収性物品の性能、快適性、密着及び／若しくは物理的外観に影響を与えるための、並びに／又は材料の使用を節約するための、意図される着用者の前側と後側で異なる身体特徴及び機能に実質的に関連しない他の目的のために、シャーシ上に含まれる場合がある特徴に起因するシャーシ横方向軸に対する違いを指さない。
【００５５】
シャーシ横方向軸４５に対する他の非対称が同様に存在してもよい。例えば、図２Ａ及び図２Ｂに示されるように、上で説明したような腰部開口部の調節機能を目的として、比較的局所化されたシャーシ締結要素３０が、それぞれ、締結用耳部２９上に配置されてもよく、比較的横方向に拡張された受け側締結要素３１が、シャーシ前側領域２７上に配置されてもよい。締結用耳部２９は、前側領域２７上に同じように存在しない、後側領域２８からの横方向延長部を形成することができる。シャーシ横方向軸４５に対してシャーシの機能的及び構造的非対称を作り出す違いの例が存在する。本明細書に記載のタイプの吸収性物品は、通常、着用者がユーザーにほぼ向かい合っているときに交換されるので、そのような構成は、これらの締結及び腰部開口部の調節機能の特徴を、ユーザーに面している着用者の前側腹部に位置付けることによってユーザーの便宜を高める。
【００５６】
非対称の別の例では、様々な組成、構成及び／又は特性の材料は、後方領域２８と比べて、前方領域２７を主に形成してもよい。例えば、後側領域２８を形成する材料は、前側領域２７を形成する材料と比べて、改善された伸張／弾性特性を目的として選択されてもよい。この例では、改善された伸張／弾性特性を有する材料は、臀部の輪郭上でより良好に適合、伸張、及び収縮し、かつ、座る及び／又は腰の位置で体を前に曲げるなどの体の動きに適合して、より良好な被覆及び密着を提供するように機能してもよい。
【００５７】
非対称の更なる例では、シャーシ２０は、前側領域２７と後側領域２８とで異なる、弾性バンド、固定バンド及び／又は他の部材などの構造体を有してもよい。
【００５８】
したがって、シャーシ横方向軸４５に対するシャーシの非対称は、ただ１つの前側領域とただ１つの後側領域とを有するようなシャーシの設計及び構成の結果であること、即ち、シャーシ２０の密着、快適性、性能及び外観が最適であるとしたら、前側領域及び後側領域は相互に交換可能でないことが理解される。
【００５９】
可能な吸収性インサートの詳細の例
吸収性インサート５０の特徴の例が、図３、図４及び図５Ａ〜図５Ｆを参照して説明される。
【００６０】
上述の通り、図３は、自立し、弛緩状態であり、シャーシから切り離されて示されている、本明細書に記載の着用可能吸収性物品の内部構成要素を形成することができる使い捨て吸収性インサート５０を斜視図で示している。図４は、身体に面する表面が見る人に面している、（図３に示されるのと同様の位置にもたらされる弾性に誘発される収縮に逆らって）延伸され平らにされて示されているインサート５０の例を図示している。図５Ａ〜図５Ｆは、図４で示されたインサート５０の断面を様々な可能な例で示している。
【００６１】
インサート５０は、以下に更に説明されるもののような吸収性コア材料のための外被様エンクロージャを形成するトップシート５１とバックシート５２とを有してもよい。トップシート５１及びバックシート５２は、長手方向シーム６４に沿って、及び横方向シーム６９に沿って互いに添着されてもよい。インサート５０はまた、これに沿って添着される長手方向起立カフ５３を有してもよい。
【００６２】
トップシート
トップシート５１は、液体透過性不織布ウェブ材料で形成されてもよい。トップシート５１を形成する材料は、着用者の皮膚に順応し、ソフトな触感で、刺激がないのが望ましくあり得る。トップシート５１の少なくとも一部分は液体透過性であり、液体がその厚さを簡単に貫通することができるのが望ましくあり得る。適切なトップシートは、例えば、多孔質発泡体、網状発泡体、孔あきプラスチックフィルム、又は天然繊維（例えば、木材繊維又は綿繊維）、合成繊維（例えば、ポリエステル繊維又はポリプロピレン繊維）、若しくは天然繊維と合成繊維との組み合わせの織布若しくは不織布材料などの、広範囲の材料から製造されてもよい。トップシート５１が繊維を含む場合、繊維は、スパンボンド、カード、湿式堆積、メルトブロー、水流交絡、ないしは当該技術分野において既知の別の方法で加工されてよい。
【００６３】
ステープル長さのポリプロピレン繊維の不織布ウェブを含む１つの好適な材料は、商標名Ｐ−８でＶｅｒａｔｅｃ，Ｉｎｃ．，ａ  Ｄｉｖｉｓｉｏｎ  ｏｆ  Ｉｎｔｅｒｎａｔｉｏｎａｌ  Ｐａｐｅｒ  Ｃｏｍｐａｎｙ（Ｗａｌｐｏｌｅ，ＭＡ）によって製造されている。成形フィルムを含む更なる好適な材料は、米国特許第３，９２９，１３５号；同第４，３２４，２４６号；同第４，３４２，３１４号；同第４，４６３，０４５号；及び同第５，００６，３９４号に記載されている。米国特許第４，６０９，５１８号及び同第４，６２９，６４３号にしたがって他の好適なトップシート３０を作製してもよい。成形及び／又は有孔フィルムの好適な例には、Ｐｒｏｃｔｅｒ  ＆  Ｇａｍｂｌｅ  Ｃｏｍｐａｎｙ（Ｃｉｎｃｉｎｎａｔｉ，Ｏｈｉｏ）によってＤＲＩ−ＷＥＡＶＥとして、及びＲｉｃｈｍｏｎｄ，ＶＡに拠点を置くＴｒｅｄｅｇａｒ  ＣｏｒｐｏｒａｔｉｏｎによってＦＲＥＳＨＦＥＥＬとして製造される製品が挙げられる。好適なトップシートの材料には、ＴｒｅｄｅｇａｒによってＣＯＭＦＯＲＴＦＥＥＬ、ＣＯＭＦＯＲＴＱＵＩＬＴ、ＳＯＦＴＱＵＩＬＴ、及びＣＯＭＦＯＲＴＡＩＲＥとして製造される、フィルムと不織布ウェブとの積層体を挙げることができる。
【００６４】
ある状況では、トップシート５１の少なくとも一部分は、吸収性コア７１に含まれる液体から着用者の皮膚を隔離するために、疎水性材料で作製される、又は疎水性になるように処理されるのが望ましくあり得る。トップシート５１を主に疎水性材料で作製する場合、トップシート５１の上面の少なくとも一部分を親水性になるように処理して、液体がトップシートを通ってより迅速に移動するようにするが望ましくあり得る。トップシート５１は、界面活性剤で処理することにより、又は界面活性剤をトップシート中に組み込むことにより、親水性にすることができる。トップシート５１を界面活性剤で処理するのに好適な方法として、トップシート材料に界面活性剤を噴霧すること、及び／又は材料を界面活性剤中に浸漬することが挙げられる。そのような処理及び親水性のより詳細な説明が、米国特許第４，９８８，３４４号及び同第４，９８８，３４５号に含まれている。トップシートに界面活性剤を組み込む特定の好適な方法について、米国法定発明登録第Ｈ１６７０号により詳細に議論がなされている。しかしながら、別の例では、トップシート５１は、疎水性である有孔ウェブ又はフィルムを含んでもよい。これは、以下に記述されるように、生産プロセスから親水性化処理工程を省くことにより、及び／又はＳＣＯＴＣＨＧＵＡＲＤのようなポリテトラフルオロエチレン化合物又は疎水性ローション組成物などでトップシート材料に疎水処理を施すことにより達成されてもよい。そのような例では、開口は、普通であれば疎水性に起因する著しい抵抗なく尿のような水性流体が貫通できるほど十分に大きいのが望ましくあり得る。
【００６５】
トップシート５１のいずれかの部分を、当該技術分野で既知のローションでコーティングしてもよい。好適なローションの例には、米国特許第５，６０７，７６０号、同第５，６０９，５８７号、同第５，６３５，１９１号、同第５，６４３，５８８号、同第５，９６８，０２５号、及び同第６，７１６，４４１号に記載されているものが挙げられる。ローションは、単独で又は他の剤と組み合わされて、上述の疎水化処理として機能することができる。
【００６６】
トップシート５１はまた抗菌剤を含んでもよく又は抗菌剤で処理されてもよく、抗菌剤のいくつかの例は、米国法定発明登録Ｈ１７３２として公開された米国特許出願第０８／２１２，４４１号に開示されている。
【００６７】
更に、トップシート５１、バックシート５２、又はトップシート若しくはバックシートの任意の部分は、より布様の外観をもたらすために、エンボス加工及び／又はつや消し仕上げされてもよい。
【００６８】
トップシート５１は、全体的に又は部分的に伸縮されてもよく、あるいは収縮させてトップシート５１とコア７１との間に空隙を形成してもよい。伸縮性を与えられた又は収縮されたトップシートを備える代表的な構造体は、米国特許第４，８９２，５３６号、同第４，９９０，１４７号、同第５，０３７，４１６号、及び同第５，２６９，７７５号に更に詳細に記載されている。
【００６９】
バックシート
バックシート５２は、一般に、衣類に面する表面を形成するインサート５０の外側ライナー部分であり、インサート５０内に吸収かつ収容された排出物が、シャーシを通って吸い上げられて、シャーシを汚すのを防止する。ある状況では、バックシート５２は、実質的に液体に対して不透過性であるのが望ましくあり得る。
【００７０】
バックシート５２は、フィルム、不織布、又はフィルムと不織布との積層体で形成されてもよい。バックシート５２は、実質的に液体不透過性の積層体又はフィルムと不織布ウェブとの複合体で形成されてもよい。バックシート５２は、液体排出物を収容し、かつシャーシ、外側衣類及び／又は着用者の環境からこれを隔離するように、実質的に液体不透過性の不織布ウェブ、又は不織布ウェブと実質的に液体不透過性のフィルムとの積層体で形成されてもよい。同時に、インサート及び着用可能吸収性物品の通気性を提供して、インサートと着用者の身体との間の領域の湿度を低減し、皮膚の水分過剰が原因で生じる場合がある皮膚のかぶれ及び／又は発疹の可能性を低減するのを助けるために、バックシート５２は蒸気透過性であってもよい。
【００７１】
バックシート５２を形成する材料は、約０．０１２ｍｍ（０．５ｍｉｌ）〜約０．０５１ｍｍ（２．０ｍｉｌ）の厚さを有する、熱可塑性フィルムなどの薄いプラスチックフィルムを含むことができる。好適なバックシートの材料はまた、蒸気を逃すのを可能にし、なおかつ液体が通過するのを防ぐ、通気性の良い材料であってもよい。好適な例には、Ｒｉｃｈｍｏｎｄ，ＶＡに拠点を置くＴｒｅｄｅｇａｒ  Ｃｏｒｐｏｒａｔｉｏｎによって製造され、商品名ＣＰＣ２、Ｘ１５３０６、Ｘ１０９６２、及びＸ１０９６４フィルムで販売されているものを挙げることができる。他の例には、Ｍｉｔｓｕｉ  Ｔｏａｔｓｕ  Ｃｏ．（Ｊａｐａｎ）によって商品名ＥＳＰＯＩＲ  ＮＯで製造されているような、及びＥｘｘｏｎ  Ｃｈｅｍｉｃａｌ  Ｃｏ．（Ｂａｙ  Ｃｉｔｙ，ＴＸ）によって商品名ＥＸＸＡＩＲＥで製造されているようなミクロ孔質フィルム、並びにＣｌｏｐａｙ  Ｃｏｒｐｏｒａｔｉｏｎ，Ｃｉｎｃｉｎｎａｔｉ，ＯＨによって商品名ＨＹＴＲＥＬブレンドＰ１８−３０９７で製造されているようなモノリシックフィルムを挙げることができる。いくつかの追加の例には、ＰＣＴ国際公開特許ＷＯ  ９５／１６７４６；並びに米国特許第５，９３８，６４８号；同第５，８６５，８２３号；及び同第５，５７１，０９６号に記載されているような、通気性の良い複合材料を挙げることができる。他の例では、バックシート５２は、エラストマーフィルム、発泡体、ストランド、又はこれら他の好適な材料と不織布若しくは合成フィルムとの組み合わせを含んでもよい。
【００７２】
バックシート５２は、当該技術分野において既知の任意の好適な取り付け手段によって、インサート５０のトップシート５１、吸収性コア７１又は任意のその他の要素に結合され得る。例えば、取り付け手段としては、接着剤の連続線若しくは連続層、接着剤の模様付き層、又は接着剤の分離した線、らせん、若しくは点の配列を挙げることが可能である。取り付け手段の一例は、米国特許第４，５７３，９８６号に開示されているような、接着剤フィラメントのオープンパターンネットワークを含む。他の好適な取付け手段として、米国特許第３，９１１，１７３号、同第４，７８５，９９６号、及び同第４，８４２，６６６号に示される装置及び方法により例示されるような、らせん模様に渦を巻く接着剤フィラメントのいくつかの線が挙げられる。要件を満たすことが分かっている接着剤は、Ｈ．Ｂ．Ｆｕｌｌｅｒ  Ｃｏｍｐａｎｙ（Ｓｔ．Ｐａｕｌ，Ｍｉｎｎｅｓｏｔａ）によって製造され、ＨＬ−１６２０及びＨＬ−１３５８−ＸＺＰとして市販されている。あるいは、取り付け手段は、熱接着、圧力接着、超音波接着、動的機械的接着、若しくは他の任意の好適な取り付け手段、又は当該技術分野で既知であるこれらの取り付け手段の組み合せを含むことができる。
【００７３】
上記のシャーシは、伸縮して着用者の解剖学的特徴及び体の動きに適合することによって、着用者の排泄物の排出に起因する吸収、膨張、及び付加重量により一般に使い捨ておむつに与えられる構造負荷の大部分に耐えかつこれを支持するような材料及び構成体で構成され得ることは理解されるであろう。そのため、そのようなシャーシを使用することにより、使い捨ておむつの内部構成要素に要求される強度と比べて、インサートの構造強度に対する要件が少なくなる可能性がある。したがって、本明細書に記載のような物品は、石油系の材料（例えば、ポリエチレン及びポリプロピレン）のような使い捨ておむつの製造で通常使用されるものとは異なる材料から製造される使い捨て吸収性インサートを包含することができる。例えば、上で特定された材料に加えて、木材及び／又は他のセルロース繊維系の製品（例えば、紙）で形成されたトップシート、バックシート、起立カフ及び／又は他の構成要素の１つ以上を有する使い捨て吸収性インサートが考えられる。例えば、バックシート及び／又は起立カフにとって水性液体浸透性に対する耐性又は実質的な液体不透過性が望ましい場合、紙などの通常の親水性繊維で形成された材料に、皮膚適合性の油又はワックスなどの疎水性材料をコーティングする又は浸透させて、水性液体浸透性に対する所望の耐性を付与することができる。
【００７４】
吸収性コア
図５Ａ〜図５Ｆを参照すると、インサート５０は、トップシート５１及びバックシート５２で形成される外被様構造体内に吸収性コア７１を有してもよい。吸収性コア７１は、一般に圧縮性であり、柔軟性があり、着用者の皮膚に対して刺激がなく、並びに尿及び他のある種の身体排出物などの液体を吸収して保持できる、任意の吸収性材料を含んでもよい。吸収性コア７１は、一般にエアフェルトと呼ばれている粉砕木材パルプ等といった、使い捨ておむつ及び他の吸収性物品に通常使用される多種多様な液体吸収性材料を含んでもよい。その他の好適な吸収性材料の例には、捲縮セルロース塊、コフォームを包含しているメルトブローンポリマー、化学的に剛化、変性、若しくは架橋されたセルロース繊維、ティッシュラップ及びティッシュ積層体が含まれるティッシュ、吸収性発泡体、吸収性スポンジ、超吸収性ポリマー、吸収性ゲル材料、又は他のいずれか既知の吸収性材料、又は材料の組み合わせが挙げられる。
【００７５】
吸収性コア７１は、液体獲得／分配材料６５、及び貯蔵材料６６を含んでもよい。一般に、獲得／分配材料６５は、比較的迅速な吸収特性及び吸上特性を有し得るが、限定された吸収能力を有してもよい。反対に、一般に、貯蔵材料６６は、比較的遅い吸収特性及び吸上特性を有し得るが、より大きな吸収能力を有してもよい。つまり、獲得／分配材料６５は、尿などの液体の流出を迅速に吸収及び分配する役割を果たし得る一方で、より大きな吸収能力を有する貯蔵材料６６は、獲得／分配材料からかかる液体を吸収して、それをインサートが交換され得るまでの必要な時間貯蔵する役割を果たし得る。
【００７６】
吸収性コア７１は、多種多様な寸法及び形状（例えば、矩形、砂時計形、「Ｔ」字形など）に製造されてもよい。吸収性コア７１の形状及び構成は様々であり得る（例えば、吸収性コア又は他の吸収性構造体は、様々なキャリパーゾーン、親水性勾配、超吸収性勾配、又はより低い平均密度及びより低い平均坪量の獲得ゾーンを有してもよく、あるいは１つ以上の層又は構造体を含んでもよい）。吸収性コア７１として使用される吸収性構造体の例には、米国特許第４，６１０，６７８号；同第４，６７３，４０２号；同第４，８３４，７３５号；同第４，８８８，２３１号；同第５，１３７，５３７号；同第５，１４７，３４５号；同第５，３４２，３３８号；同第５，２６０，３４５号；同第５，３８７，２０７号；及び同第５，６２５，２２２号に記載されているものを挙げることができる。
【００７７】
吸収性コアの全体的な寸法及び／又は厚さを低減し、それにより着用者の快適性を改善し、かつ汚れたインサートによって生じる処理可能な廃棄物の量を低減するために、性能制約内で可能な最小量のコア材料を使用して吸収性コアを作製するのが望ましくあり得る。このような目的で、好適な吸収性コアの好適な材料及び構成の例が、同時係属の米国特許出願第１２／１４１，１２２号に記載されているが、これに限定されない。
【００７８】
副層
インサート５０はまた、トップシート５１とバックシート５２との間に配置される副層を含んでもよい。副層は、身体排出物を受容、貯蔵又は不動化することのできる任意の材料又は構造体であってもよい。したがって副層は、単一材料、又は相互に作動的に関連する多くの材料を包含してもよい。更に、副層は、インサート５０の別の要素と一体であってもよく、又はインサート５０の１つ以上の要素と直接的に又は間接的に結合した１つ以上の別個の要素であってもよい。更に、副層は、コア７１から分離した構造体を含んでよく、コア７１の少なくとも一部分を含むか又はその一部であってよい。
【００７９】
副層として使用するのに好適な材料としては、大型連続気泡発泡体、マクロ孔質耐圧縮不織布嵩高品、連続気泡発泡体及び独立気泡発泡体の大型寸法粒子状成形物（マクロ及び／又はミクロ孔質）、嵩高不織布、ポリオレフィン、ポリスチレン、ポリウレタン発泡体又は粒子、多数の垂直配向のループ状繊維ストランドを含む構造体、打ち抜き穴又は窪みを有する上述の吸収性コア構造体、などを挙げてもよい。副層の一例は、３Ｍ  Ｃｏｒｐｏｒａｔｉｏｎ（Ｍｉｎｎｅａｐｏｌｉｓ，Ｍｉｎｎｅｓｏｔａ）からＸＰＬ−７１２４として入手可能な、約１．５ミリメートルの非圧縮厚さを有する機械的締着ループランディング要素を有している。別の例は、１平方メートル当たり１１０グラムの坪量と７．９ミリメートルの非圧縮厚さを有する、捲縮され樹脂結合された６デニールの不織布嵩高体を含み、この不織布嵩高体は、Ｇｌｉｔ  Ｃｏｍｐａｎｙ（Ｗｒｅｎｓ，Ｇｅｏｒｇｉａ）から入手可能である。他の好適な吸収性及び非吸収性の副層は、米国特許第６，６８０，４２２号及び同第５，９４１，８６４号に記載されている。更に、副層若しくはそのいずれかの部分は、その要素の性能若しくは他の特性を付加し、強化し、又は変化させる、ローション若しくは他の既知の物質を包含するか、又はそれらでコーティングされてよい。
【００８０】
起立カフ
インサート５０はまた、その長さに沿って部分的に又は全体的に取り付けられる一対の長手方向起立カフ５３を有してもよい。好適な長手方向起立カフ（種々の公開された例では「レッグカフ」、「バリアカフ」、「ガスケッティングカフ」等と定義されている）は、次の文献に記載されているがこれらに限定されないもののような材料及び構成体で形成され得る：米国特許第５，７６９，８３８号及び同第４，５９７，７６０号；並びに同時係属の米国公開出願第２００７／０２３９１３０号。図３に示されるように、起立カフ５３は、それに沿って長手方向に配置されるカフ弾性体５８ａ、５８ｂの１つ以上のストランド又はストリップを有してもよい。そのようなカフ弾性体５８ａ、５８ｂが、起立カフ５３を形成するウェブ材料に固定される前に予めピンと張られると、得られるこれに沿った長手方向張力は、起立カフ５３を形成するウェブ材料に図示のようなギャザーを寄せ、かつカフをインサートの本体から（図３に関しては上方に）延出させる、つまりカフを「起立」させる。この特徴により、起立カフ５３は、インサート５０を含む物品が着用されると、排泄物が排出される解剖学的特徴の両側に長手方向に、着用者の身体に沿ってガスケット構造を形成する。こうして、起立カフ５３は、インサート５０の、そして結果として着用可能吸収性物品の排出物閉じ込め能力を強化するように機能し得る。バックシート５２と同様に、起立カフ５３は実質的に液体不透過性ウェブで形成されて、液体排出物を収容し、かつシャーシ、外側衣類及び着用者の環境から液体排出物を隔離することができる。同時に、インサート及び着用可能吸収性物品の通気性をもたらして、インサートと着用者の身体との間の領域の湿度を低減し、皮膚の水分過剰が原因で生じる場合がある皮膚のかぶれ及び／又は発疹の可能性を低減するのを助けるために、起立カフ５３は蒸気透過性であってもよい。
【００８１】
別の例では、例えば、非限定的な例として、同時係属の米国公開出願第２００７／０２３９１３０号に記載のように、起立カフ５３を形成する材料は、バックシート５２を形成する材料と一体であってもよい。この特定の例では、図３を参照すると及びこれに関連して、連続した１枚の材料は、一方の起立カフ５３を形成し、インサートの下を包み込んでバックシート５２を形成し、反対側を上方に包み込んでもう一方の起立カフ５３を形成することができる。このラップアラウンド構造の例は、起立カフ５３とバックシート５２とを含む外側の液体を収容する面に沿ったシームを排除することにより、インサート５０に改善された液体閉じ込め能力を提供することができる。しかしながら、ある状況では、製造上の制約及び／又は経済的制約がこのような構造を阻む場合がある、あるいは、起立カフ５３及びバックシート５２を形成する材料は異なる特性を有するのが望ましい場合がある。例えば、用途によっては、起立カフ５３が、依然として流体をはじきかつ収容する傾向があり得るが、一般に、フィルムなどの実質的に液体不透過性の積層体よりも通気性の良い、近接して位置する疎水性繊維を含む不織布ウェブ材料で別の方法により形成される場合、起立カフ５３が実質的に液体不透過性であることが必要であると考えられない可能性がある。この場合、図３に示されるように、起立カフ５３を形成する材料でインサートの下側にある長手方向角部の下を部分的にのみ包み込み、この材料を、最も外側の下側角部ではなく、インサートの下のシームで固定することによって、改善された強度及び液体閉じ込め特性を依然として付与することができる。
【００８２】
インサートの非対称性
図４を参照すると、インサート５０は、その長手方向長さを均等に分割するインサート横方向軸７０を有する。インサート５０は、インサート横方向軸７０に対して非対称である構造を有してもよい。この説明を目的として、インサートに関して使用するとき、「非対称な」及び「非対称」とは、インサート横方向軸７０の片側の特徴、幾何学的形状（例えば、形）、材料及び／又は構成体が、インサート横方向軸７０の反対側のそれらと、いくつかの点で実質的に異なることを意味する。そのような非対称な構成体は、着用可能吸収性物品の閉じ込め／吸収性能、快適性、密着及び／若しくは外観を改善するために、材料の使用を節約するために、並びに／又は処理可能な廃棄物の量を低減するために、意図される着用者の前側と後側で異なる身体特徴及び機能に適合するように設計されたインサート５０の様々な特徴を有することによりもたらされる。「非対称な」及び「非対称」は、純粋に表面的な色合い又は表面装飾；シャーシの締結（例えば本明細書に記載の締結要素）；ユーザーがインサートを把持する（例えば本明細書に記載の把持構造体）；シャーシ内でインサートの向きを定めるための印（例えば本明細書に記載の向きの印）の目的だけのため、又は着用可能吸収性物品の性能、快適性、密着及び／若しくは物理的外観に影響を与えるための、材料の使用を節約するための、並びに／又は処理可能な廃棄物の量を低減するための、意図される着用者の前側と後側で異なる身体特徴及び機能に実質的に関連しない他の目的のために、インサート上に含まれる場合がある特徴に起因するインサート横方向軸に対する違いを指さない。
【００８３】
１つの例として、図４に示されるように、トップシート５１は、そこを通る１つ以上の開口６３を、主に後方領域５５内に有してもよい。開口６３は、液体又は低粘度の糞便物質を、トップシート５１を貫通して、そのような開口を有さない場合よりも迅速に、これを吸収性コア７１の吸収性材料に到達させ、インサート５０の液状の糞便の吸収及び閉じ込め能力を向上させることができる。
【００８４】
別の例では、例えば、同時係属の米国特許出願第１１／２２４，７７９号に記載のような、１つ以上のポケット、空隙、張設された伸縮性トップシート内の開口部、及び同様の特徴などの糞便管理特徴が、物品の後部に配置されてもよい。つまり、トップシート５１は、後側領域内に１つ以上の比較的大きな開口を備えて、固形物又は高粘度の排泄物を制限なく又は比較的制限が少なくそこを通して移動させてもよい。開口の寸法は、所望の糞便封入性能を達成するうえで重要であり得る。開口が小さすぎる場合、排出点と開口位置との位置合わせがうまくいかないのが原因で、又は糞塊が開口より大きな寸法を有するのが原因で、排泄物が開口を通過しない可能性がある。しかしながら、開口が大きすぎる場合、収容された排泄物からの「再湿潤」にさらされる可能性がある皮膚面積が大きくなる。開口は、約１０ｃｍ２〜約５０ｃｍ２の面積を有することができる。ある状況では、開口は、約１５ｃｍ２〜３５ｃｍ２の面積を有するのが望ましくあり得る。
【００８５】
インサートの吸収性コアは、非対称性を有していてもよい（吸収性コアの非対称性）。吸収性コアの非対称性は、前側と後側で異なる着用者の生体構造の特徴及び機能にしたがって、吸収性コアの特定の材料及び特徴をそれらが最も必要とされる及び／又は最も有効である場所に位置付けるための、吸収性コア内の材料及び特徴の配列によってもたらされてもよい。
【００８６】
例えば、図５Ａと図５Ｂ、図５Ｃと図５Ｄ、及び図５Ｅと図５Ｆをそれぞれ比較することによって理解され得るように、インサート５０の後方領域５５の全て又は一部分は、獲得／分配材料７１を含むが、前方領域５４と比べて貯蔵材料６６が少ないか含まなくてもよい。この特定の吸収性コアの非対称によって、貯蔵材料６６は、着用されたときに主に着用可能吸収性物品の前側に位置付けられることができる。これは、インサートの尿貯蔵能力の優位な割合を着用者の尿排出点の近くに提供して、漏れの可能性を低減し、かつ、特に貯蔵材料６６が液体を吸収して膨張する際の潜在的な不快感並びに／又は不体裁な寸法及び嵩を、着用者の脚の間又は臀部領域から除去することができる。更に、この特定の非対称は、貯蔵材料６６を、実質的にインサート全体に沿ってではなくインサートの一部分のみに位置付けることによって、使用する貯蔵材料６６の量の節約をもたらす。米国特許第６，２７８，０３７号に開示されているティーバッグ遠心能力テストで測定した場合、吸収性コアの前方領域の液体貯蔵能力は、吸収性コアの後方領域の液体貯蔵能力よりも高くてもよい。吸収性コアの前方領域の液体貯蔵能力は、後方領域の液体貯蔵能力よりも、少なくとも約１０％、２０％、５０％、又は更には１００％以上高くてもよい。そのような構成では、前方領域５４及び後方領域５５の両方に位置付けられる獲得／分配材料６５は、液体（通常は、尿）を獲得し、主に前方領域５４内に位置付けられる貯蔵材料６６にそれを移動させるように機能することができる。
【００８７】
図５Ａ、図５Ｃ及び図５Ｅを参照すると、例えば、前方領域５４の吸収性材料６６は、それぞれ、獲得／分配材料６５内に分散されてもよく（図５Ａ）、獲得／分配材料６５と流体連通する独立した液体透過構造体若しくは被包６７内に収容されてもよく（図５Ｃ）；又は同時係属の米国特許出願第１２／１４１，１２２号に記載のように、保持材料６８の接着性マトリックスの上若しくはその中に分散されて、獲得／分配材料６５と流体連通してもよい（図５Ｅ）。反対に、後方領域５５は、主に獲得／分配材料６５を収容し、貯蔵材料６６は前方領域５４と比べて少ないか、全くない（図５Ｂ、図５Ｄ、図５Ｆ）。
【００８８】
別の例では、図５Ｃに示されるように、貯蔵材料６６及び獲得／分配材料６５は、吸収性コア７１の異なる別個の層を占有してもよい。ある状況では、獲得／分配材料６５を含む層の表面積（即ち、図４に示される平らにされたインサートに関する平面図の表面積）を、貯蔵材料６６を含む層よりも大きくするのが望ましくあり得る（逆もまた同様）。例えば、獲得／分配材料６５を含む層が、前方領域５４内にインサートを横切って大きな表面積を有するように形成される場合、前方領域内のより多くの量の獲得／分配材料に空隙を提供するのに役立つことができる。このことは、前方領域に向けて放出された比較的大量な尿の流出を迅速に吸収しかつ分配するためのより大きな収容力を前方領域に付与することができ、これは、例えば、年齢が上の男の乳児及び幼児用の着用可能吸収性物品にとって望ましくあり得、インサートの閉じ込め能力を高めることができる。
【００８９】
しかしながら、別の例では、例えば新生児及び幼い乳児などでは、尿の大量の流出は予想されないが、比較的相当量の液体又は低粘度の糞便物質が予想される。したがって、この群の意図される着用者用の着用可能吸収性物品は、大きな表面積を占める大きな寸法の獲得／分配層を、インサートの後方領域５５に有してもよい。このことは、後方領域に向けて放出された液体の流出又は低粘度の糞便物質を迅速に吸収するためのより大きな収容力を後方領域に付与して、インサートの閉じ込め能力を高めることができる。
【００９０】
インサートの後方領域５５の吸収性コアの中に増粘剤を配置するのもまた望ましくあり得る。増粘剤は、液体又は低粘度の糞便物質の粘度が高くなり、それにより不動となり、インサート内に収容され易くなるという追加の保証をもたらすのに有用であり得る。
【００９１】
インサート５０はまた、非対称な全体的形状／バックシートを有していてもよい。例えば、図４に示されるように平らにした状態で見て、インサート５０は、インサート横方向軸７０の片側に、反対側より大きな表面積を占めてもよい。このことは、バックシート材料の使用中の快適性、性能、及び／又は節約の目的で有用であり得る。例えば、優位な割合の貯蔵材料６６を含むと共に、インサート５０の前方領域５４は、貯蔵材料を収容するためのインサート内の大きな空隙に関連して大きな表面積を占有してもよく、特に吸収性材料が液体を吸収して膨張する際に、インサートが平らな状態を維持できるようにする。そのような大きな表面積は、インサート横方向軸７０の反対側で後方領域５５が占める表面積よりも、インサート横方向軸７０の片側で大きくてもよい。
【００９２】
インサート５０はまた、シャーシの股領域にあるエリア内に狭い領域を有してもよい。股領域のこの狭まりは、脚の間の寸法及び嵩を排除することによって、着用者の快適性を改善するのに役立つことができる。図２Ｂを参照すると、股領域のこの狭まりは、インサート５０が限られた量の吸収性材料をその中に有しかつ限られた幅を有することで、インサート５０がシャーシ２０の股領域２６の空隙収容力を超えて膨張しないのを確実にすることによって、シャーシ２０の股領域２６が、インサート５０の横方向に中心合わせされた位置を収容しかつ維持しやすくなるように機能することができる。そのような狭まりは、例えば、インサートの後方部分へと続いて、全体的形状／バックシートの非対称を作り出すことができる。
【００９３】
インサート５０はまた、上記されたものと同じ、関連した、又はその他の目的に貢献するために、他の方法でインサート横方向軸７０に対して非対称であってもよい。
【００９４】
したがって、インサート横方向軸７０に対するインサートの非対称は、ただ１つの前側領域とただ１つの後側領域とを有するようなインサートの設計及び構成の結果であること、即ち、インサート５０の密着、快適性、性能及び外観が完全に最適である場合に、前側領域及び後側領域は相互に交換可能でないことが理解される。
【００９５】
把持構造体
図３及び図４を参照すると、インサート５０はまた、個別の前部及び後部ユーザー把持構造体５９、６１を有してもよい。ユーザー把持構造体５９、６１は、ユーザーがインサート５０をその各端部で迅速かつ容易に把持できるようにするために提供され得る。
【００９６】
図示され及び／又は提案される把持構造体は、ユーザーがインサート５０をより迅速に把持し、かつ図３に示されるのと同様の収縮位置から、図４に示されるのと同様の伸展位置まで伸張できるようにすることができ、これは、インサート５０をシャーシの中に設置するために望ましくあり得る。図示のように、ユーザー把持構造体５９、６１がインサート５０の各末端部に近接して中心合わせされると、これは、以下により詳細に記載される各中心合わせされた締結要素対を同じ場所に配置するための視覚的補助をユーザーに提供することもできる。
【００９７】
更に、ユーザー把持構造体５９、６１は、ユーザーがインサート５０をそれぞれの末端部で迅速かつ容易に把持できるようにするのに役立つ可能性があり、このそれぞれの末端部は、着用者の身体の排出点からの距離により、インサート５０の交換が必要又は望ましくなったときに汚れにくい。したがって、ユーザーは、汚れたインサート５０をシャーシ２０から取り外すときに、着用者の排出物がユーザーの手と接触するのをうまく回避することができる。
【００９８】
ユーザー把持構造体５９、６１は、図３及び図４に示されるようなタブ様拡張部分を有してもよく、インサート５０がシャーシ２０内に設置されるときに自由端はシャーシ２０に取り付けられず、容易に把持可能である。ユーザー把持構造体は様々な形状を有することも可能である。非限定的な例として、ユーザー把持構造体は、インサート５０の末端部から延びるループ様拡張部分（図示せず）、インサート５０の末端部近くを貫通する指穴（図示せず）、及びインサート５０をその末端部に近接する位置で把持及び引っ張りやすくするその他の構造体、の形状をとることができる。
【００９９】
インサート／シャーシ締結要素、向きの印、他の考えられる特徴
図２Ｂ、図３及び図４に戻って参照すると、先述の通り、シャーシ２０は、その上に配置された前側及び／又は後側インサート締結要素３３、３２などの１つ以上のインサート締結要素を有してもよい。インサート５０は、その上に配置された前側及び／又は後側締結要素５６、５７を有してもよい。インサート５０上の各前側及び／又は後側締結要素５６、５７は、シャーシ２０上に配置された対応の前側及び／又は後側インサート締結要素３３、３２との締結を可能にするように協働するよう選択及び／又は適合され得る。
【０１００】
締結位置のタイプ、位置、及び位置決め
１つの例において、インサート５０の各前側及び後側締結要素５６、５７と、シャーシ２０上の対応の前側及び後側インサート締結要素３３、３２との締結を可能にするために、対応の締結対５６、３３及び５７、３２は協働締結要素を有することができる。好適なフック・アンド・ループ締結システムの例は、Ｖｅｌｃｒｏ  Ｉｎｄｕｓｔｒｉｅｓ  Ｂ．Ｖ．の製品であるＶＥＬＣＲＯシステムであり、このシステムの構成要素は、Ｖｅｌｃｒｏ  ＵＳＡ，Ｉｎｃ．，Ｍａｎｃｈｅｓｔｅｒ，Ｎｅｗ  Ｈａｍｐｓｈｉｒｅから入手可能である。フック・アンド・ループ締結システムは特定の利点を提供する。各フック及びループ要素はシート状又はストリップ状で供給されるので、この要素を適切な形状のパッチに切断することができ、このパッチを、接着剤結合、機械的結合、超音波接合、縫合、縫製、縁かがり、縁取り等の様々な手段で布基材に添着することができる。対応のフック・アンド・ループパッチを締結要素として使用する場合、締結は、締結要素を対面接触させて置き、ゆるい圧力を加えるだけで達成されるので、比較的容易な締結、ユーザーにとっての容易さ及び便宜（例えば、ボタンとボタン穴といった締結要素と比較して）は、もたらされるいくつかの利点のうちの１つである。
【０１０１】
一部のタイプのフック要素は、ある状況では、意図される対応するループ要素以外の様々な材料に望ましくなく引っかかる又はからみつく傾向があり得るが、現在入手可能であるほとんどのタイプのループ要素は、この傾向を有さない。したがって、ある状況では、ループ要素のパッチがインサート締結要素３３、３２の一方又は両方を形成し、フック要素のパッチが締結要素５６、５７の一方又は両方を形成するのが望ましくあり得る。この構成は、ひっかからないインサート締結要素をシャーシ上に定置する。これは、シャーシ２０が再利用可能となるように設計されている場合などある状況において望ましくあり得、シャーシ２０上の要素がシャーシ２０の他の部分に、又は、シャーシ２０と一緒に保管又は洗濯される衣類物品などの他の物品に、望ましくなくひっかかる可能性を低減する。
【０１０２】
しかしながら、締結対５６、３３及び５７、３２は、フック・アンド・ループ締結システムの対応の要素を必ずしも有する必要はなく、２つの要素からなる締結システムの対応の要素を必ずしも有する必要はない。むしろ、締結システムは、１つの締結要素しか必要としなくてもよく、又は他のタイプの締結要素を使用してもよい。使用する締結要素は、インサート又はその一部分と係合する、これを固定する、及び別の方法で保持するように適合されてもよい。シャーシ２０上の締結要素には、接着剤のパッチ；比較的高い摩擦係数の領域を有する構造体；ポケット；フラップ；ストラップ；あるいはその他の捕捉、保持及び／又は固定表面、デバイス、又は構造体を挙げることができる。したがって、１つの例において、シャーシ２０の内側は、シャーシ２０の内表面２５の上に又はこれに沿って、例えば、前側領域２７内に位置決めされるポケット構造体を有してもよい。このようなポケット構造体は、（立位姿勢の着用者に対して、及び図２Ｂに対して）下方及び上方を向く開口部を有してもよい。このポケット構造体は、例えば、インサート５０の前方領域５４の前縁部及びその一部分を受容、嵌合及び捕捉するように構成されてもよい。このような締結要素は、シャーシ２０の前側領域及びインサート５０の前方領域に配置された他の締結要素の代わりに、又はこれらに加えて設けられてもよい。このような構造体及び適切に適合されたインサートを使用してインサートを設置するために、ユーザーは、インサート５０の前縁部をポケット構造体に挿入し、次に、任意のその他の設けられた後側締結要素によって、インサート５０の後方部分をシャーシ２０の後側領域内に締結することができる。
【０１０３】
また、締結対５６、３３及び５７、３２のそれぞれの要素を含むあらゆる形態の締結要素が、インサート５０又はシャーシ２０のいずれかの上に配置されてもよい。例えば、フックパッチがインサート５０又はシャーシ２０のどちらかの上に配置され、協働するループパッチがインサート５０又はシャーシ２０のもう一方の上に配置されてもよい。
【０１０４】
シャーシ２０上の要素３２などのインサート締結要素を、固定バンド３８、又は斜めの固定バンド３８ａに取り付ける又は接続してもよい。これは、上で引用した特許出願の１つ以上の固定バンドの説明において記載されているように、利点の１つとして、吸収又は収容された排出物の重量によって生じる構造負荷の分布をもたらすことができる。
【０１０５】
締結位置は、例えば、インサート５０の４つの角部のそれぞれと、これらに対応するシャーシ２０上の位置に、並びに、適切に選択されかつ配置された締結要素によって作り出されるインサート５０及びシャーシ２０に沿った他の位置にも、複合的に配置されてもよい。
【０１０６】
しかしながら、別の例では、締結要素対５６、３３及び５７、３２といった締結システムは、図示のように、前方／前側及び／又は後方／後部末端部／領域のそれぞれあるいはいずれかの近くに、単一化され（singularized）かつ局所化された締結位置を形成してもよい。図２Ｂ及び図３に示されるように、インサート及びシャーシ上で実質的に横方向に中心合わせされた、２つの対応の単一化され局所化された締結位置のみを有することで、ユーザーがインサート５０をシャーシ２０の同じ場所に配置及び締結しなければならない位置が２つだけになることにより、設置の簡単さ及び容易さといった利点がユーザーにもたらされる。
【０１０７】
更に、図に示されるように、インサート５０の１つ又は２つの末端部のみの近くに、単一の局所化された締結位置を有することで、インサート５０の部分的に力分離される取り付けがシャーシ２０内にもたらされる。この力分離される構成により、締結要素３３、３２を包囲するシャーシ２０の一部分、例えば腰部バンド部分３４、３５、並びに前側領域２７及び後側領域２８は、インサート５０及びその一部分の構造とは実質的に独立しかつこれに妨げられずに、横方向に伸張及び収縮することができる。これにより、シャーシ２０の横方向の収縮によってインサート５０の末端部が横方向に塊化しないようにすることができ、及び／又は、反対に、それらの間の更なる力結合構成の結果として、インサート５０の構造がシャーシ２０が横方向に伸縮又は収縮するのを制限しないようにすることができる。このような横方向の塊化又は制限は、さもなければ通常、例えば、所与の長手方向位置に近接してインサート５０の幅にわたって１つを超える締結位置を用いて、又はインサート５０の幅の大部分に沿った横方向に非局在化／拡張された連続的な締結位置を用いて、インサート５０の幅の大部分をシャーシ２０に力結合するやり方で、シャーシ２０内にインサート５０を締結するのに付随して起こり得る。したがって、力分離は、着用されている間の密着、外観及び着用者の快適性の促進、並びに意図されるインサートの形状及び性能の改善された維持能力を提供することができる。
【０１０８】
したがって、１つの例において、図４を参照すると、インサート５０に取り付けられた締結要素５６を形成するフック要素のパッチは、図示のように、インサート上で実質的に横方向に中心合わせされていてもよく、インサート５０の横方向幅Ｗｉの約５０％を超えて延在しないインサート５０に沿って取り付けられる幅Ｗｆを、前方領域５４に有してもよい。これにより、インサート５０がシャーシ２０の中に設置されたときに、例えば、前方領域５４におけるインサート５０の幅の約５０％以下が、フック要素のパッチの作用によってシャーシに力結合されることになり、それに応じて、該幅の約５０％（即ち、幅Ｗｆに沿ってインサートに取り付けられない又は力結合されない幅Ｗｉの部分）は、シャーシ２０から力分離されることになる。ある状況では、シャーシから力分離されるインサート５０の前方領域５４及び／又は後方領域５５の横方向幅のこの部分は、約５０％をも超えるのが望ましくあり得る。このように、例えば、連続的に取り付けられるフックのパッチを含む締結要素５６又は５７の幅Ｗｆは、締結要素が位置付けられる領域におけるインサートの横方向幅Ｗｉの約４０％以下、約３０％以下、又は更には約２０％以下であるのが望ましくあり得る。別の例では、インサート５０の前側領域５４及び／又は後側領域５５における横方向幅の少なくとも約５０％がシャーシから力分離されるのがある状況では望ましくあり得る。ある状況では、シャーシの中に設置されるときに、任意の長手方向位置におけるインサートの横方向幅の約５０％超過、約６０％超過、約７０％超過、又は更には約８０％超過が、シャーシから力分離されるのが望ましくあり得る。
【０１０９】
このように単一化されかつ比較的横方向に局所化された締結位置を提供して、インサート５０の横方向幅にわたって限られた力結合を提供する他の締結要素が可能である。
【０１１０】
インサートの横方向補強材
図３を参照すると、及び上述されたカフ弾性体５８ａ、５８ｂを備える起立カフ５３の説明から、予め延伸されたカフ弾性体５８ａ、５８ｂによって長手方向張力が付与されると、起立カフ５３は、インサート５０の各外側の角部を互いに向けて長手方向に引っ張る傾向があり得ることが理解される。この引っ張りに抵抗する構成が存在しない場合、インサート５０の外側角部は座屈及び塊化する可能性があり、起立カフ５３は、つぶれるないしは別の方法で弛んで、着用者の身体に対するガスケット構造としての効果が弱くなる可能性がある。１つの例において、抵抗構造を提供する１つの方法は、インサート５０の角部の締結位置又は角部まで延びる締結位置、及びシャーシ２０の内表面２５に沿った対応の位置に配置されるインサート−シャーシ締結システムを含む（either include）ことである。しかしながら、ある状況では、これは、費用及び／又は複雑性の理由から望ましくない場合がある。また、上記のようにインサート５０の各末端部に近接して単一化／局所化された締結位置を１つだけ有することによる利点を犠牲にする場合がある。
【０１１１】
上述のように、単一化されかつ比較的局所化された締結位置を、インサート５０の一方又は両方の末端部に１つだけ設けて、図に示されるように横方向に中心合わせされた位置内にあるように寸法設定及び位置決めする場合、かかる末端部の一方又は両方に近接して横方向補強要素を有するのが望ましくあり得る。図３及び図４を参照すると、横方向補強材６０及び６２を含んでもよい。このような横方向補強材は、ユーザーがインサートとシャーシとを係合するのを援助し、シャーシの下に着用されている間、インサート５０がその意図される形状及び配置を維持するのを助けるように機能し得る。
【０１１２】
横方向補強材６０、６２は、図に示されるように、インサート５０の末端部に近接してインサート５０内に固定される又は組み込まれることができる。使用中にインサート５０が最適な形状を維持する傾向を増加させるのに加えて、このような横方向補強材は、インサート５０がシャーシに設置される前に、インサート５０の各末端部が開いて平坦なままでいる傾向を高めることができる。インサート５０の末端部は、設置前にユーザーが保管及び／又は運搬する間、普通は折り重ねられる又は束ねられる可能性があるので、横方向補強材は、インサート５０をシャーシ内に設置するためのユーザーの操作をそれほど必要としない形状／配置をインサート５０の末端部が維持又は追求することによって、ユーザーの便宜を向上させることができる。
【０１１３】
図４を参照すると、１つ以上の横方向補強材６０、６２は、任意の平らなシート状若しくはカード状の材料、又は任意の平らな補強組立体で形成されてもよい。１つの例において、横方向補強材は、インサートの一部分（例えば末端部分）を折り重ねて、材料の折り畳まれた層を含む補強領域を作り出すことによって形成されてもよい。別の例では、横方向補強材６０、６２は、インサート５０の末端部の上に、液状接着剤若しくは半流動体接着剤又はその他の材料の横方向のバンド又はストリップを堆積することによって形成されてもよく、この堆積物は剛化状態に硬化又は冷却されて、適用される基材に追加剛性を付与する。別の例では、横方向補強材は、厚紙又は同様の材料で形成されてもよい。好適な補強材材料の１つの例は、シート状で供給される厚さ０．０７９ｃｍ（０．０３１インチ）のＶＯＬＡＲＡ発泡体（Ｓｅｋｉｓｕｉ  Ｖｏｌｔｅｋ，ＬＬＣ，Ｌａｗｒｅｎｃｅ，ＭＡの製品）である。補強材材料は、補強されるインサート５０の一部分で積層されてもよく、補強されるインサート５０の一部分に接着剤を介して適用されてもよく、又は任意のその他の好適な方法によって適用、添着、又は含まれてもよい。
【０１１４】
平面図（例えば図４）を基準にしてそのような補強材に隣接するインサートの一部分と比較して、横方向補強材は、横方向補強材が位置付けられるインサート５０の領域の平面及び／又は横方向剛性を増加させることができる。インサートの隣接する補強されていない部分の剛性と比べた補強部分（即ち、横方向補強材を含む部分）の剛比の指標として、同時係属の米国公報出願第２００７／０１４２７９８号に記載の座屈力試験方法にしたがって、各部分の座屈力を測定して比較してもよい。インサートの横方向補強材を有する部分の座屈力の、隣接部分の座屈力に対する比は、少なくとも約２．０であり得るが、ある状況では、この比が少なくとも約２．５、又は更には４．０、又は更には１０．０以上であるのが望ましくあり得る。１つ以上の横方向補強材６０、６２を含むインサート５０の一部分は、起立カフ５３の張力に効果的に耐え、インサート５０の使用中に起立カフ５３をガスケット形状に実質的に維持し、かつインサート５０の角部を横方向に拡張された位置に実質的に維持して、角部の座屈又は塊化を防止するのに十分なほど硬いのが望ましくあり得る。望ましい剛性の量は、追加の横方向補強材のない状態のインサート材料の固有剛性、及び物品が着用されたときの起立カフの張力の量及び／又は範囲といった種々の要因によって決まり得る。同時に、着用者の快適性及び安全性の目的上、１つ以上の横方向補強材６０、６２を含むインサートの一部分は、着用者の体の動きと共に楽に屈曲する、及びなんらかの打撲傷又は刺通損傷の危険が存在する前につぶれるのに十分なほど柔軟であるのが望ましくあり得る。補強部分はまた事実上弾性であるのが望ましくあり得、補強部分は、屈曲された、折り畳まれた、又はねじられた後に実質的に平坦な形状に戻る傾向がある。
【０１１５】
横方向補強材６０、６２は、インサート５０の末端部の一方若しくは両方に隣接して又は近くに位置付けられてもよく、その幅のかなりの部分に沿ってインサートを補強するために、その横方向中心から横方向に延在してもよい。１つ以上の横方向補強材は、インサートの横方向幅の約５０％〜約１００％の幅を有してもよく、又は、インサートを形成する他の材料の長手方向縁部を超えて延在してもよい。横方向補強材は任意の長手方向寸法を有することができるが、ある状況では、インサートの長さの２５％未満の長手方向寸法が、着用者の快適性をより良好に保証することができ、したがって望ましくあり得る。一部の例では、横方向補強材の長手方向寸法は、約５ｍｍ〜約５０ｍｍの範囲であってもよい。補強材はまた、インサートを形成する他の材料の横方向縁部を超えて長手方向に延在してもよい。インサートの一方又は両方の末端部は横方向補強材を有してもよい。インサートが１つを超える横方向補強材を含む例では、各横方向補強材は、異なる形状、寸法、剛性、厚さ、色、構造、配置、材料、又は組成物を有してもよい。上述のように、かつ図３に示されるように、横方向補強材はまた、把持構造体含んでもよく、又はこれと一体であってもよい（横方向補強材６０は把持構造体５９と一体に描かれている）。
【０１１６】
目安印及び向きの印
インサート及び／又はシャーシは、インサートの一部分のシャーシ内への正しい位置決め及び関連付けを指示する、容易にする及び／又は強要するための１つ以上のインサート目安印を含んでもよい。インサート目安印は、着用可能吸収性物品の最適性能を可能にするように、インサートとシャーシの正しい領域との係合を指示する又は強要するように寸法設定されかつ形成された、言葉の又は言葉でない指示印、視覚的目安印、協働する幾何学的特徴、協働するタイプの締結要素、又は締結要素の協働する設計を含んでもよい。可能な目安印の構成要素の他の例には、１つ以上の協働する色、形状、模様、線、輪郭、シルエット、その他の幾何学的特徴、凸部又は凹部、質感、パターン、目標線又は十字線、ブルズアイ表現等が挙げられ、これらはシャーシ及び／又はインサートの上に配置されて、シャーシ内におけるインサートの正しい位置決めを示す。一例を挙げれば、シャーシの内表面には、インサートの輪郭、又はインサートのシルエットがプリントされてもよい。
【０１１７】
目安印はまた、１つはシャーシ２０の上、もう１つはインサート５０の上の少なくとも２つの協働要素を含んでもよく、これら２つの要素が関連付けられると、シャーシ／インサートシステムの各要素は互いに対して適切に向きを定め、最も適切に機能することになる。１つの例では、シャーシの内表面には、インサートの位置を指し示す第１の矢印がプリントされてもよく、インサートには、インサートとシャーシとが正しく相対的に位置決めされると第１の矢印を指し示す第２の矢印がプリントされてもよい。
【０１１８】
印は、正しい最適な配置を示す相関性と、間違った準最適な配置を示す非相関性とを認知的に関連付けるか、又は関連付けない。対応の認知的に関連する目安印は、インサート上の印と認知的に関連するシャーシ上の印を含んでもよく、インサートとシャーシとの正しい相対位置決め及び係合をユーザーに示す。例えば、インサート及びシャーシ上の対応の認知的に関連する印は、共通の色、形状、又は質感を有してもよい（本明細書で使用するとき、「共通の色」は、任意の第１の色と、その認識可能な陰影又は変化を包含し、これは、物品の全特徴に照らして、別の色と可視的及び認知的に識別可能である）。
【０１１９】
図２Ｂ、図３及び図４を参照すると、インサート５０が上記のように非対称である場合、最適な前方領域５４は１つだけであり、最適な後方領域５５は１つだけであり得る。同様に、シャーシ２０が上記のように非対称である場合、最適な前側領域２７は１つだけであり、最適な後側領域２８は１つだけであり得る。したがって、これらの非対称の一方又は両方が存在する場合、間違った前後の相対的な向きでシャーシ２０内にインサート５０を設置すると、着用可能吸収性物品が最適に密着及び／又は機能しない可能性がある。したがって、シャーシ２０及び／又はインサート５０に、これらの構成要素の正しいそれぞれの前後の向きをユーザーに知らせるように適合された１つ以上の印を組み込むことが、ある状況では望ましくあり得る。そのような印はそのような情報を、機能的に、触覚的に及び／又は視覚的にユーザーに提供することができる。
【０１２０】
機能的な印は、正しい前後の向きでは適切に、有効に及び／又は最適に機能するが、間違った前後の向きでは適切に、有効に及び／又は最適に機能しない締結要素を包含し得る。
【０１２１】
例えば、図２Ｂ及び図３を参照すると、シャーシ２０上の前側インサート締結要素３３は、最適な／最大限の締結保証をもたらすために、インサート５０上の前側締結要素５６とだけ協働することができるが、インサート５０上の後側締結要素５７とは協働しない。同様に、シャーシ２０上の後側インサート締結要素３２は、最適な／最大限の締結保証をもたらすために、インサート５０上の後側締結要素５７とだけ協働することができるが、インサート５０上の前側締結要素５６とは協働しない。
【０１２２】
より具体的な例では、シャーシ２０上の前側インサート締結要素３３はループのパッチを有してもよく、インサート５０上の前側締結要素５６はフックのパッチを有してもよい。それに対応して、シャーシ２０上の後側インサート締結要素３２はフックのパッチを有してもよく、インサート５０上の後側締結要素５７はループのパッチを有してもよい。したがって、この具体的な例では、ユーザーが誤って、インサート５０上の後側締結要素５７（ループ）をシャーシ２０上の前側インサート締結要素３３（ループ）と締結しようと試みると、適切な又は最適な締結はもたらされず、このことは、正しい／最適な前後の向きでインサートをシャーシに設置するためには、ユーザーがインサート５０を１８０度回転させなければならないことを、ユーザーに伝達することになる。
【０１２３】
別の具体的な例では、シャーシ２０上の前側インサート締結要素３３は雌スナップ締結要素を有してもよく、インサート５０上の前側締結要素５６は雄スナップ締結要素を有してもよい。それに対応して、シャーシ２０上の後側インサート締結要素３２は雄スナップ締結要素を有してもよく、インサート５０上の後側締結要素５７は雌スナップ締結要素を有してもよい。したがって、この具体的な例では、ユーザーが誤って、インサート５０上の後側締結要素５７（雌スナップ締結要素）をシャーシ２０上の前側インサート締結要素３３（雌スナップ締結要素）と締結しようと試みると、要素は互いに適切に密着せず、適切な／最適な締結はもたらされず、このことは、正しい／最適な前後の向きでインサートを設置するためには、ユーザーがインサート５０を１８０度回転させなければならないことを、ユーザーに伝達することになる。
【０１２４】
このように、機能的な印は、インサート５０及びシャーシ２０が適切に向きを定められると、適切に及び／又は最適に機能して、これらの間に締結及び最大限の締結保証をもたらすが、そうでなければ適切に又は最適に機能しない任意の締結要素を包含することができる。更に、機能的な印は必ずしも締結要素に限られる必要はない。機能的な印はまた、間違った（逆の）、準最適な前後の向きに対して、正しい、最適な前後の向きで、シャーシ及びインサートが互いにどのように密着又は機能するのかに影響を与える、シャーシ及びインサートの他の特徴で具現化されてもよい。このように、機能的な印は、追加的に、シャーシ又はインサートの別の機能要素と関連付けられてもよく、又は組み合わされてもよい。印は、腰部バンド、サイドパネル、伸張要素、レッグカフ、物理的保持締結要素（例えば、ポケット又は保持ストラップ）等などのシャーシの要素と関連付けられてもよい。印は、腰部キャップ、腰部バンド、起立カフ、糞便管理特徴、インサート位置決め補助具、インサート補強補助具、インサート取り外し補助具、又はインサート廃棄補助具などのインサートの要素と関連付けられてもよい。
【０１２５】
以上から、他の形態の機能的な向きの印が、上記説明の原理の範囲内で可能であることが理解されるであろう。
【０１２６】
他の可能な例では、上記のような対応の機能的に協働する／協働しない要素対に代えて、インサート５０及びシャーシ２０は、触覚性又はその他の知覚的な印のような対応の非機能的な印を有してもよい。
【０１２７】
例えば、前側インサート及びシャーシ締結要素は、第１の触覚性の特性を有するように選択又は形成されてもよく、後側インサート及びシャーシの要素は、第２の触覚性の特性を有するように選択又は形成されてもよい。別の例では、インサート及びシャーシの特徴は、最適な前後の向きで噛み合う又は幾何学的に協働するが、逆の準最適な前後の向きでは噛み合わない又は幾何学的に協働しない三次元形状などの特徴を有してもよい。
【０１２８】
他の可能な例では、上記のような対応の機能的に協働する／協働しない締結要素対又は触覚性の印要素に代えて又はこれに加えて、インサート５０及びシャーシ２０は対応の視覚的印を有してもよい。シャーシ２０は、前側領域２７及び後側領域２８の上にそれぞれ配置される対応の前側及び後側視覚的印７３、７４を有してもよい。インサート５０及びシャーシ２０上に配置される対応の視覚的印は、シャーシ２０内のインサート５０の正しい／最適な向き及び配置の視覚的合図をユーザーに提供するように適合され得る。
【０１２９】
例えば、視覚的印及び視覚的合図の構成要素は、共通の色を使用するものであってもよい。１つの具体的な例では、シャーシ２０上に配置される前側及び／又は後側視覚的印７３、７４は、相互に可視的に区別できる対応の共通の色を含んでもよい。インサート５０は、その上に配置される又は具現化される対応の協働する印を有してもよい。したがって、例えば、インサート５０の上の前部及び後部ユーザー把持構造体５９、６１は、前側及び／又は後側視覚的印７３、７４に含まれる色とそれぞれ共通の及び該色に対応する色を有してもよく又は該色で着色されてもよい。より詳細には、例えば、前側視覚的印７３及び、前部ユーザー把持構造体５９などのインサートの特徴は、共に第１の共通の色を有してもよく又は該色で着色されてもよく、後側視覚的印７４、及び後部ユーザー把持構造体６１などの特徴の一方又は両方は、第１の共通の色と可視的に識別可能な第２の共通の色で着色されてもよい。
【０１３０】
別の具体的な例では、シャーシ２０上に配置される前側及び後側視覚的印７３、７４は、前部若しくは後部ユーザー把持構造体５９、６１などのインサートの特徴の上に具現化された又は描かれた対応する形状と一致する、又は認知的に相関する、視覚的に相関する対応の形状の画像を具現化してもよく、又は該画像を有してもよい。より詳細には、例えば、前側の視覚的印７３及び前部ユーザー把持構造体５９は共に円の画像を具現化又は有してもよく、後側の視覚的印７４及び後部ユーザー把持構造体６１は共に三角形の画像を具現化又は有してもよい。
【０１３１】
別の特定の例では、シャーシ２０上に配置される前側及び後側視覚的印７３、７４は、「前側」及び「後側」の言葉又は記号による表示の画像を有して、前部及び後部ユーザー把持構造体５９、６１などのインサートの特徴の上の対応する言葉又は記号による表示と一致させてもよい。更なる特定の例では、前側視覚的印７３及び前部ユーザー把持構造体５９は共に、文字「Ｆ」（即ち、「前側」）の画像を有してもよく、後側視覚的印７４及び後部ユーザー把持構造体６１は共に、文字「Ｒ」（即ち、「後側」）の画像を有してもよい。
【０１３２】
別の特定の例では、シャーシ２０上に配置される前側及び／又は後側視覚的印７３、７４は、期待通りにユーザーが認識可能な形状、キャラクター、物体等のそれぞれの一部分の画像を具現化又は有して、前部及び／又は後部ユーザー把持構造体５９、６１などのインサートの特徴の上に具現化された又は描かれた期待通りにユーザーが認識可能な形状、キャラクター、物体等の対応する一部分と一致させてもよい。更なる特定の例では、前側視覚的印７３及び前部ユーザー把持構造体５９は共に、適切に合体されると、期待通りにユーザーが認識可能な第１の形状、キャラクター、物体等の認知的に完全な画像を形成する第１の画像のそれぞれの一部分を具現化又は有してもよく；及び／又は後側視覚的印７４及び後部ユーザー把持構造体６１は共に、適切に合体されると、期待通りにユーザーが認識可能な第２の形状、キャラクター、物体等の認知的に完全な画像を形成する、第１の画像と異なる第２の画像のそれぞれの一部分を具現化又は有してもよい。
【０１３３】
更に別の特定の例では、視覚的な向きの印は、シャーシ２０及びインサート５０の上にそれぞれ表示される視覚的印の単一対に単純化されてもよい。１つのそのような例では、シャーシ２０の内表面２５は、前側縁部２１を長手方向に指す矢印の画像を有してもよく、インサート５０は、その前方末端部を長手方向に指す矢印の画像を有してもよい。
【０１３４】
向き情報を提供するように適合された他の好適な視覚的な向きの印の例には、言葉を含む英数字テキスト、矢印、記号、図形、絵文字、アイコン、漫画、概念図、及び任意のその他の視覚的印を挙げることができる。
【０１３５】
ユーザーが両方の組の印を見るとき、シャーシ及びインサートの前側部分に関連する印は、シャーシ及びインサートの後側部分に関連する印と、認知的でなく相関する、又は認知的に相関しない、及び逆もまた同様であるのが望ましくあり得る。
【０１３６】
以上から、他の形態の視覚的な向きの印が、上記説明の原則の範囲内で可能であることが理解されるであろう。
【０１３７】
本明細書に記載の特徴のいくつか又は全てを有する２部分からなる着用可能吸収性物品は、従来の完全に再利用可能な布おむつ及び従来の完全に使い捨てのおむつの両方に優る利点を提供することができる。シャーシを形成するために半耐久性の材料及びより耐久性のある材料を使用することに関する潜在性は、１回を超えて使用することができる、及び選択される材料によっては何度も使用及び洗濯することができるシャーシを提供する。本明細書に記載の特徴のいくつか又は全てを有するシャーシは、使い捨てシャーシ構造体の必要性を排除することができるので、典型的な使い捨ておむつと比べて、ユーザーが廃棄しなけれなならない汚れた廃棄物の量が低減される。更に、通常使い捨ておむつにかかる構造負荷のほとんどを支持する再利用可能なシャーシの可能性が提起されるので、使い捨ての吸収部分はより簡略化された設計を有して、使い捨ておむつと比べて製造費及び材料費を低減することができる。非従来型の再生可能な材料（例えば紙）の使い捨て吸収性インサートを製造する可能性が提起される。同時に、本明細書に記載の特徴のいくつか又は全てを有する使い捨て吸収性インサート及びシャーシは、多くの状況において、着用者の排出物によるシャーシの汚れのほとんど又は全てを防いで、取り扱い及び保管に付随する衛生及び臭気問題を軽減し、必要な洗濯頻度を低減し、かつ従来の布おむつに付随する洗濯資源、労力及び／又は出費の必要性を低減することができる。本明細書に記載の特徴のいくつか又は全てを有する使い捨て吸収性インサートは、従来の布おむつと比べて、排出物をより良好に吸収し、かつ着用者の皮膚、並びに着用者の衣類及び環境から排出物をより良好に隔離することも可能である。
【０１３８】
シャーシに耐久性のある材料を使用することで、使い捨ておむつと比べて改善された及び／又はより魅力的な快適性、密着、デザイン、色、模様等を目的として材料の使用の選択肢を創出する際に、その他の付帯利益を提供することも可能である。本明細書に記載の特徴を有するシャーシは、着用可能吸収性物品をより魅力的に見せる及び／又はより衣類品又は外出着のように見せるための多種多様な選択肢を提供する。上記の利点に加えて、非対称構造及び向きの印を有するインサートを使用することにより、前側と後側で異なる着用者の生体構造及び身体機能に合わせたインサートの設計、より良好な性能、並びに材料の設計、構成、及び使用の更なる節約が可能になるのと同時に、ユーザーがシャーシ内におけるインサートの正しい前後の向きを確実にすることができる。上記の説明からその他の利点が明らかである。
【０１３９】
本明細書に開示されている寸法及び値は、列挙した正確な数値に厳しく制限されるものとして理解すべきではない。それよりむしろ、特に規定がない限り、こうした各寸法は、列挙された値とその値周辺の機能的に同等の範囲との両方を意味することが意図される。例えば、「４０ｍｍ」として開示される寸法は、「約４０ｍｍ」を意味することを意図している。
【０１４０】
あらゆる相互参照又は関連特許若しくは特許出願を含む、本明細書に引用される文献は全て、明白に除外される、ないしは別の方法で限定されている場合を除いて、本明細書中にその全容を援用するものである。いかなる文献の引用も、それが本明細書において開示され請求されるいずれかの発明に関する先行技術であること、又はそれが単独で若しくは他の任意の参照とのいかなる組み合わせにおいても、このような発明を教示する、提案する、又は開示することを認めるものではない。更に、本書における用語のいずれかの意味又は定義が、参照により組み込まれた文献における同一の用語のいずれかの意味又は定義と相反する限りにおいては、本書においてその用語に与えられた定義又は意味が適用されるものとする。
【０１４１】
本発明の特定の実施形態が例示され、記載されてきたが、本発明の趣旨及び範囲から逸脱することなく、他の様々な変更及び修正を実施できることが、当業者には明白であろう。したがって、添付した特許請求の範囲はそのような変更及び修正の全てを含み、上記のいかなる説明又は図面も本明細書の範囲を制限せず、添付の「特許請求の範囲」だけがこれらを制限するものとする。
【図１】
2012515056.tif 000003
【図２Ａ】
2012515056.tif 000004
【図２Ｂ】
2012515056.tif 000005
【図３】
2012515056.tif 000006
【図４】
2012515056.tif 000007
【図５Ａ】
2012515056.tif 000008
【図５Ｂ】
2012515056.tif 000009
【図５Ｃ】
2012515056.tif 000010
【図５Ｄ】
2012515056.tif 000011
【図５Ｅ】
2012515056.tif 000012
【図５Ｆ】
2012515056.tif 000013
【国際調査報告】
2012515056.tif 000014
2012515056.tif 000015